(57)【要約】【課題】  窓付き封筒を用いて、親展書類を送付する場合に、それらの書類を封筒に封入して郵送したり、ダイレクトメールを、特定の顧客に直接送付することが、さかんに行われているため、各顧客のポストには、１日に多数の郵便物や配送物が投函され、その多数の郵便物や配送物のなかから、各人が必要な郵便物や配送物を選択し、その選択された郵便物や配送物のみ開封され、他の郵便物や配送物は開封もされず廃棄されることが多かった。【解決手段】  窓付き封筒の窓の部分に着色パターン入り着色透明レリーフホログラムシートを貼着して、他の郵便物や、配送物との差別化を図る。しかも、その着色パターンに独特の視認性を付与し、且つ、その「色」を呈する印刷層や、同様の着色パターンを内包するホログラム形成部を設けることで、より確実な開封率向上を図れる窓付き封筒とした。【選択図】  図１
2014162507.tif 000002
【特許請求の範囲】
【請求項１】
透明な窓を有する窓付き封筒において、
前記透明な窓が、
前記封筒の内側に向かう第一面と、前記封筒の外側に向かう第二面を有する着色透明樹脂層からなり、且つ、前記第一面にはホログラムレリーフ及び、前記ホログラムレリーフを埋めるように着色パターン層Ａが形成され、前記第二面には透明着色パターン層Ｂが形成されている着色透明レリーフホログラムシートで構成される窓付き封筒であって、
前記封筒を観察した際に、前記着色パターン層Ａと、前記透明着色パターン層Ｂとが、同一の色を呈し、前記色で形成された一つのパターンＣとして視認されることを特徴とする窓付き封筒。
【請求項２】
請求項１に記載の窓付き封筒の前記透明な窓以外の部分に、前記色で形成された印刷層が設けられていることを特徴とする窓付き封筒。
【請求項３】
請求項１に記載の窓付き封筒の前記透明な窓以外の部分に、または、請求項２に記載の窓付き封筒の前記透明な窓以外で、且つ、前記印刷層が形成された部分以外の部分に、少なくともホログラム層、反射層、及び接着層からなるホログラム形成部が設けられており、前記ホログラム形成部が着色パターン層Ｄを有し、且つ、前記着色パターン層Ｄが前記色を呈することを特徴とする窓付き封筒。
【請求項４】
前記着色透明レリーフホログラムシートの前記ホログラムレリーフ面に、反射性薄膜層がパターン状に設けられていることを特徴とする請求項１〜３のいずれかに記載の窓付き封筒。
【請求項５】
前記着色透明樹脂層、及び、前記透明着色パターン層Ｂのヘーズが、いずれも１０％以下であることを特徴とする請求項１〜４のいずれかに記載の窓付き封筒。
【請求項６】
前記着色透明樹脂層の屈折率と、前記着色パターン層Ａの屈折率が同一、若しくは、その屈折率差が０．１以下であることを特徴とする請求項１〜５のいずれかに記載の窓付き封筒。
【請求項７】
前記着色透明レリーフホログラムシートが生分解プラスチックからなることを特徴とする請求項１〜６のいずれかに記載の窓付き封筒。
【発明の詳細な説明】
【技術分野】
【０００１】
本発明は、封筒の一部に情報が目視可能な透明な窓を設けた窓付き封筒において、特にその窓にホログラムを有する窓付き封筒に関するものである。
【０００２】
本発明の「着色パターン層Ａと透明着色パターン層Ｂとが、同一の色を呈し、その色で形成された一つのパターンＣとして視認される」とは、視認性の異なる２種類のパターン、すなわち、着色パターン層Ａと透明着色パターン層Ｂによって表されるそれぞれの「パターン」が、通常の観察角度においては、同一の色を呈する「あたかも一つのパターン」として観察されることを意味し、このときには、その２つの「パターン」を「合体させたパターン」が「パターンＣ」として認識できるように形成されていることを意味する。
【０００３】
そして、所定の観察条件においてのみ、その２つのパターンが別々のパターンとして視認でき、その意匠性に加えて、意外性をも付与するものである。
【０００４】
本発明におけるホログラム形成部とは、窓に設けるホログラムと同一のホログラムデザイン、もしくは、そのデザインを縮小拡大したものを用いてもよいし、また、全く異なるホログラムデザインを採用してもよい。
【０００５】
また、そのホログラム形成部は、封筒上に直接形成したものであってもよいし、剥離性を有する転写箔用基材上に、ホログラム層、反射層、及び接着層を設けたホログラム転写箔を用いて転写形成するか、ラベル基材上に、ホログラム層、反射層、及び接着層（この場合には、接着層が粘着層の役割を担う。）を設けたホログラムラベルを封筒上に貼着して設けてもよい。
【０００６】
本明細書において、配合を示す「部」は特に断わらない限り質量基準である。また、  「ホログラム」はホログラムと、回折格子などの光回折性機能を有するものも含む。
【０００７】
また、「ヘーズ（曇価ともいう。）」とは、ＪＩＳ  Ｋ  ７１３６「プラスチック−透明材料のヘーズの求め方」に準じて求められるものであって、「試験片を透過する透過光のうち、前方散乱によって入射光から２．５°以上それた透過光の百分率」であり、「全光線透過率（平行透過率＋拡散透過率）に対する拡散透過率の比」として定義されるものである。
【背景技術】
【０００８】
（主なる用途）本発明の窓付き封筒の主なる用途としては、
長形、角形、洋形封筒であって、定形郵便物や定形外郵便物の大きさの封筒、
第一種郵便物、第二種郵便物、第三種郵便物、第四種郵便物、市内特別郵便物、異種合装等の通常郵便物、及び小包郵便物等に用いられる封筒、
書留、速達、引受時刻証明、配達証明、内容証明、代金引換特別送達、年賀特別郵便、翌朝郵便、新超特急郵便、配達日指定郵便、巡回郵便、新特急郵便、配達記録郵便、保冷郵便、本人限定受取郵便等に用いられる封筒、
郵便規則（平成一四年最終改正）第二章第一節第七条における「窓のある封筒及び袋は、当該窓を薄い透明物又はこれに類するもので密着させて閉じたものに限り、これを郵便物の包装に使用することができる」とするものに対応する封筒、
同規則第二章第二節第一款第十一条における、「定形郵便物について郵便法第二十一条第二項第一号に掲げる厚さ及びその他の形状の基準を満足するものであって、表面に窓を設けたものにあつては、(イ)郵便物のあて名を記載した部分又は第九条第一項ただし書の規定によりあて名を透視できるようにした部分の下部（横に長いものにあつては、左側部）に窓を設けたもの(ロ)横に長いもので、長さ六センチメートル、幅三センチメートルを超えない大きさの窓一か所を第九条第一項ただし書の規定によりあて名を透視できるようにした部分の右側部に設けたもの（ハ）ビニール樹脂、ポリエチレン樹脂等の合成樹脂を主たる材料とする封筒若しくは袋を包装に使用したもの又は第七条第一項ただし書の規定により包装を省略したもので当該合成樹脂を主たる材料としたものにあつては、別に告示する形状のものであること、のいずれかに該当するものであること」とするものに対応する封筒など。
【０００９】
また、中貼、左横貼、右横逆貼、内カマス貼、外カマス貼、ダイヤ貼の封筒、
窓付き封筒として窓の素材、あて名用窓の大きさが郵便規則に準拠しているもの、すなわち、「セロファンのように透明度の高いもの（ＪＩＳ  Ｐ  ８１３８試験による不透明度が２０％以下のもの）及び、あて名用窓の大きさが短辺４５ｍｍ以上、長辺８０ｍｍ以上のもの」に対応するものであって、その多くは、郵便区分機等による仕分け処理に対応している封筒、
もしくは、運送会社による宅配配送物の中から、「紛失時の損害額の減額」，「小サイズに限定」，「ポストインで判取り不要」を条件に、配送伝票のコストダウンを図り、バーコード追跡システムを維持しつつ配送費用のコストダウンを実現した「メール便」と呼ばれる宅配サービスにおいて、郵便規則等の制限なく用いられる封筒、
また、各種の通知や案内状又は請求書などの書面を送付する手段として、さらには、親展書類等を送付する手段として利用され、その内の一つの形態として封筒本体に窓部を有してその窓部を透明なフィルムで覆って封筒本体の内部を見ることができる窓開き封筒であって、書面の方に受取人住所氏名を印字して封筒本体内に入れることで、その受取人住所氏名が窓部を通して外から確認することができ、封筒本体の表面に受取人住所氏名の記載、印字を行なう手間を無くす利点があり、各種の会社が顧客宛への書面送付などに際して利用する封筒、
主に過去に利用したことのある小売店や、入会しているクレジットカード会社などの顧客情報のデータベースから購入頻度などの属性で抽出され、郵便やメール便を利用して届けられるダイレクトメールとして、銀行、証券会社、クレジットカード会社、百貨店、量販店などが、大量に顧客に送付しているもの等であって、多くは自動封入封緘機によりその封筒への封入物の挿入・封緘が行われる封筒など。
【００１０】
さらに、各種の商品、商品見本、おまけ、割引券、さらには、商品券、手形、小切手等の各種金券の封入物を封入するもの、商品やサービスの宣伝であるが、通信販売では定期的にカタログが最新のものとして送られて来て、消費者はこれを見て商品やサービスを購入することが出来き、また、これら通信販売の楽しみ方として、定期的に送られてくるカタログを眺めることを HYPERLINK "http://ja.wikipedia.org/wiki/e¶£a'3" \o "趣味" 趣味とするなど、一定のメディアとしての機能も持ち、通信販売会社側では読まれたらすぐに捨てられるカタログではなく、一種の雑誌として編集、情報価値をもたせる封筒、
さらには、書類、冊子、カタログ、ポスター、カレンダーやパンフレット、Ｔシャツなどをメール便で送る、メール便用板紙封筒、耐ショック構造で書籍・書類等の内容物をしっかり保護する再生紙使用の板ボール製小包ケース、ダンボールの目を利用してフリーサイズで折込が可能なダンボール製ケース、ワンタッチで組立が出来、底貼り作業不要なダンボール製組函ケース、再生紙使用の板ボール製冊子小包用封筒、エアクッション入封筒、再生紙使用の板ボール製マチ付封筒、片面ダンボール製封筒、透明度抜群のＯＰＰ規格袋等、
飲食店、通信販売、貸金業、不動産会社などにおいて、広告・宣伝を目的に、ビラやチラシを、各個宅の郵便受けへ直接投入する行為に用いられるものや、商業目的ではない公共性を有する例として、地方自治体（地域限定の行事案内やお知らせ）や水道局（主に工事による断水やにごり水、交通規制のお知らせ）によって行われる場合に用いられる封筒等、市場において流通する全ての窓付き封筒に用いられる。
【００１１】
これらの中には、あらかじめ封筒を展開した形状に仕上げ、封筒製袋機にて窓用フィルムを供給しつつ貼付し製袋するもの、及び、連続帳票を印刷・加工し、その工程内にて窓用フィルムを供給、貼着して、窓付き封筒として仕上げるもの、さらには、銀行等の各種預金口座、公共料金自動払い、カード発行等の申込みや、各種会員制組織への入会等のための申込書等のごとく、申込者が必要事項記入後に自ら製袋するもの等がある。
【００１２】
以上の分野の中でも、特に、意匠性に優れ、且つ、その開封率を高める必要のある分野に好適である。
（先行技術）
近時、透視窓に透明フィルムを貼着した、紙製の透視窓付きの郵便封筒などが、広く使われている。それは、ラインプリンター等で請求書等を作成する際に、その請求書等の一部に送付先の住所・氏名等を印字して窓付封筒の窓から見えるようにすれば、封筒に送付先の住所・氏名等を印字する手間が省け、事務能率を大巾に向上することが出来るからである。かかる窓付封筒に関する文献として、特開昭５７−２８７５６号公報、実開昭６０−１６１０４５号公報、及び、実開昭６１−４０３３８号公報等が挙げられる。特開昭５７−２８７５６号公報の窓付き連続封筒およびその製造装置は、透明窓を有する封筒体形成連続紙と中入れ用連続紙とをそれぞれバーストして封筒単位の封筒体形成片と中入れ片とし、封筒体形成片を二つ折りする際に中入れ片を封筒体形成片内に挿入し、次いで封筒体形成片の周縁を封閉接着するものであり、中入れ片を封筒体内にフリーな状態で納め、封筒の表層用連続紙，通信文等の連続紙，封筒の裏層用連続紙を連続紙のまま重ね合わせ、封筒単位毎に縁辺を接着した後、連続紙をバーストしている、それまでの連続封筒では、通信文等の縁辺が封筒体の表裏の縁辺に貼着され、封筒体の一部を開封しただけでは通信文を取り出すことが出来なかった点を改良している。
【００１３】
また、実開昭６０−１６１０４５号公報の窓つき封筒は、窓つき封筒の裏側用紙部にその上縁又は下縁から窓に向かって突出する切欠きを設け、その切欠きから露出する表側用紙部の一部に封緘用舌片の一部を貼着するもので、封筒内で伝票ががさつくのを防止するものである。
【００１４】
この透視窓に貼着する透明フィルムとしては、強度と透明度とが優れた、ポリエチレンフィルムやポリプロピレンフィルムやポリエステルフィルムなどの、プラスチックフィルムが用いられているものである。
【００１５】
このような窓付き封筒を用いて、上記したように、受取人以外にその内容を知られたくない親展書類を送付する場合や、葉書には書ききれない多量の情報などの複数枚におよぶ書類を送付する場合に、それらの書類を封筒に封入して郵送したり、また、バーゲン情報や新装開店の情報、通信販売のカタログなどを封筒に封入したダイレクトメールを、特定の顧客に直接送付することが、さかんに行われているため、各顧客のポストには、１日に多数の郵便物や配送物が投函され、その多数の郵便物や配送物のなかから、封筒送付人や、その窓から確認できる範囲で、各人が必要な郵便物や配送物を選択し、その選択された郵便物や配送物のみ開封され、他の郵便物や配送物は開封もされず廃棄されることが多かった。
【００１６】
これに対処すべく、例えば、ダイレクトメールの開封率の向上をはかるために、本来の郵送・配送目的である「広告」のほかに、商品見本や、おまけ、若しくは割引券などの「封入物」を封筒に封入することが行われており、「封入」される帳票（書面）には、所定窓部用の宛名等の印字に加えて、例えば、郵便の場合には（郵便法や、郵便規則等の制限あり。）、郵便法等で認められる範囲で、他の窓を設け、この窓から、封筒内部の帳票に印刷された内容の一部や、同封された景品等の内容が見えるようにして、封筒の開封率を高める工夫がなされている。（例えば、特許文献１：特開平８−２８２６７８公報参照。）
さらには、封筒部材に宛名部ではなく、「別の窓」を新たに設け、その位置に光回折パターンを設けて、他の郵便物に対して、封筒の外観の差別化を行い、もって、封筒の開封率の向上を図る工夫もなされている。（例えば、特許文献２：特開平８−１７５５４６公報参照。）
しかしながら、多量に且つ、多数回送付するものに、毎回、高価な景品等を封入することはできず、また、封筒の窓として、所定の位置に大きいサイズを確保できる宛名用の窓部ではなく、別途窓を設けて、その位置に合わせて光回折パターンを形成しただけでは、他の封筒との差別化の効果も薄く、また、その封筒の外観を視認するだけで、その「光回折パターンのデザイン」を確認できるため、特に開封する必要もなく、「直接的に開封率を向上する」という効果の小さいものであった。
【００１７】
さらに、「封入物」そのものに光回折パターンを設け、やはり宛名用の窓部以外の別に設けた窓から覗けるように配置する方法も、個別情報を印字する帳票等に個々に光回折等の特殊加工を施すことが求められ、煩雑であるとともに、やはりコストのかかるものとなっていた。
【００１８】
その上、得意先毎に、さらには、送付する目的ごとに、封筒の宛名用窓部以外の所に別途開口部（別の窓）を設け、その位置に合わせて、光回折パターンを設けたシートを貼付する工程は、その検査工程をも含め、多品種、小ロット生産が求められる今日においては、煩雑そのものであり、効率が低く、量産性に欠けるものであった。
【００１９】
以上のことを考慮し、本出願人は、窓付き封筒において、大きい領域を確保可能な「窓」部に、すなわち、受取人が本人なのか若しくは家族等であるのかを確認するため、必ず視認する宛名用窓部に、その下にある宛名等の印字を目視にて十分視認でき、及び／又は、郵便区分け機等の光学的機械読み取りに支障なく認識可能である、透明レリーフホログラムシートを設けることにより、封筒における所定の一つの位置に十分な大きさを確保でき、且つ、顧客の注意を十分に喚起して、その開封率を向上し、さらに、量産性に優れる、窓付き封筒を提案している。（特許文献３：特開２０１１−２２５２５８公報参照。）
しかしながら、その透明レリーフホログラムシートは、まさに透明なシートであって、封筒を一瞥しただけでは、そのホログラムの存在に気づかず、また、注意を喚起するコメントにも気づかない場合があり、結局、封筒を開封せず、そのまま廃棄してしまうこととなり、開封率を向上する手段としてはまだ十分とは言えないものであった。
【先行技術文献】
【特許文献】
【００２０】
【特許文献１】特開平８−２８２６７８公報
【特許文献２】特開平８−１７５５４６公報
【特許文献３】特開２０１１−２２５２５８公報
【発明の概要】
【発明が解決しようとする課題】
【００２１】
本発明は、上記した問題を解決すべく、封筒の窓部に設ける着色透明レリーフホログラムシートの上下面に、所定の光学特性を有する着色パターン層を設けて、さらなる注意喚起を図るとともに、その着色パターン層と同一の色を呈する印刷層を封筒上に設けたり、同一の色の別の着色パターン層を有するホログラム形成部を設け、それらの色の統一性や、視認性に優れるホログラム形成部をも連携させて、顧客に対する注意喚起を十分なものとし、量産性に優れ、且つ、開封率を向上できる、窓付き封筒を提供する。
【００２２】
また、この着色透明レリーフホログラムシートを生分解性プラスチックで構成することにより、環境負荷を低減可能なこともアピールし、窓付きフィルムを剥して観賞用に保管する等の行為を促進し、より開封率を向上できる窓付き封筒を提供する。
【課題を解決するための手段】
【００２３】
上記の課題を解決するために、
本発明の窓付き封筒の第１の態様は、
前記透明な窓が、前記封筒の内側に向かう第一面と、前記封筒の外側に向かう第二面を有する着色透明樹脂層からなり、且つ、前記第一面にはホログラムレリーフ及び、前記ホログラムレリーフを埋めるように着色パターン層Ａが形成され、前記第二面には透明着色パターン層Ｂが形成されている着色透明レリーフホログラムシートで構成される窓付き封筒であって、
前記封筒を観察した際に、前記着色パターン層Ａと、前記透明着色パターン層Ｂとが、同一の色を呈し、前記色で形成された一つのパターンＣとして視認されることを特徴とするものである。
【００２４】
上記第１の態様の窓付き封筒によれば、
前記透明な窓が、前記封筒の内側に向かう第一面と、前記封筒の外側に向かう第二面を有する着色透明樹脂層からなり、且つ、前記第一面にはホログラムレリーフ及び、前記ホログラムレリーフを埋めるように着色パターン層Ａが形成され、前記第二面には透明着色パターン層Ｂが形成されている着色透明レリーフホログラムシートで構成される窓付き封筒であって、
前記封筒を観察した際に、前記着色パターン層Ａと、前記透明着色パターン層Ｂとが、同一の色を呈し、前記色で形成された一つのパターンＣとして視認されることを特徴とする窓付き封筒を提供することができ、窓フィルムとなる着色透明レリーフホログラムシートに、視認性が高く、且つ、意外性のある見え方を有する着色パターンを設けたことで、開封率をより向上させることができる。
【００２５】
本発明の窓付き封筒の第２の態様は、
第１の態様の窓付き封筒の前記透明な窓以外の部分に、前記色で形成された印刷層が設けられていることを特徴とするものである。
【００２６】
上記第２の態様の窓付き封筒によれば、
第１の態様の窓付き封筒の前記透明な窓以外の部分に、前記色で形成された印刷層が設けられていることを特徴とする窓付き封筒を提供することができ、窓フィルムの着色パターンと印刷層が同一の色を呈するものの、観察する角度を変えると、窓フィルムの着色パターンに異なるパターンが出現するという意外性を付与して、開封率をさらに向上させることを可能とする。
【００２７】
本発明の窓付き封筒の第３の態様は、
第１の態様の窓付き封筒の前記透明な窓以外の部分に、または、第２の態様の窓付き封筒の前記透明な窓以外で、且つ、前記印刷層が形成された部分以外の部分に、少なくともホログラム層、反射層、及び接着層からなるホログラム形成部が設けられており、前記ホログラム形成部が着色パターン層Ｄを有し、且つ、前記着色パターン層Ｄが前記色を呈することを特徴とすることを特徴とするものである。
【００２８】
上記第３の態様の窓付き封筒によれば、
第１の態様の窓付き封筒の前記透明な窓以外の部分に、または、第２の態様の窓付き封筒の前記透明な窓以外で、且つ、前記印刷層が形成された部分以外の部分に、少なくともホログラム層、反射層、及び接着層からなるホログラム形成部が設けられており、前記ホログラム形成部が着色パターン層Ｄを有し、且つ、前記着色パターン層Ｄが前記色を呈することを特徴とする窓付き封筒を提供することができ、非常に視認性に優れるホログラム形成部が追加され、且つ、そのホログラム形成部内に、窓フィルムや印刷層と同一の色を呈する着色パターンを設けることで、その視認性や意外性を高め、その開封率の著しい向上を可能とする。
【００２９】
本発明の窓付き封筒の第４の態様は、
前記透明レリーフホログラムシートの前記ホログラムレリーフ面に、反射性薄膜層がパターン状に設けられていることを特徴とするものである。
【００３０】
上記第４の態様の窓付き封筒によれば、
前記透明レリーフホログラムシートの前記ホログラムレリーフ面に、反射性薄膜層がパターン状に設けられていることを特徴とする第１〜３のいずれかの態様の窓付き封筒を提供することができ、前記透明レリーフホログラムシートに新たな着色パターンを設けて、その意匠性をさらに高めることを可能とする。
【００３１】
本発明の窓付き封筒の第５の態様は、
前記着色透明樹脂層、及び、前記透明着色パターン層Ｂのヘーズが、いずれも１０％以下であることを特徴とするものである。
【００３２】
上記第５の態様の窓付き封筒によれば、
前記着色透明樹脂層、及び、前記透明着色パターン層Ｂのヘーズが、いずれも１０％以下であることを特徴とする第１〜４のいずれかの態様の窓付き封筒を提供することができ、透明着色パターン層の視認性をより明確なものとして、その意外性をさらに高めることができる。
【００３３】
本発明の窓付き封筒の第６の態様は、
前記着色透明樹脂層の屈折率と、前記着色パターン層Ａの屈折率が同一、若しくは、その屈折率差が０．１以下であることを特徴とするものである。
【００３４】
上記第６の態様の窓付き封筒によれば、
前記着色透明樹脂層の屈折率と、前記着色パターン層Ａの屈折率が同一、若しくは、その屈折率差が０．１以下であることを特徴とする第１〜５のいずれかの態様の窓付き封筒を提供することができ、着色パターンＢによる、ホログラムレリーフを消失させる効果をより明確なものとして、その意外性をより確実なものとすることができる。
【００３５】
本発明の窓付き封筒の第７の態様は、
前記着色透明レリーフホログラムシートが生分解プラスチックからなることを特徴とするものである。
【００３６】
上記第７の態様の窓付き封筒によれば、
前記着色透明レリーフホログラムシートが生分解プラスチックからなることを特徴とする第１〜６のいずれかの態様の窓付き封筒を提供することができ、窓フィルムを保存する意欲をさらに高めることが可能となる。
【００３７】
封筒に用いられる紙、若しくは板紙は、一般的には、その使用目的により、印刷用紙・情報用紙、包装用紙、衛生用紙、雑種紙、若しくは、段ボール原紙、紙器用板紙に大別される。
【００３８】
さらに小分類としては、
上質紙、中質紙、色上質紙、アート紙、コート紙、マットコート紙、ミラーコート紙、アートポスト、ケント紙、更紙、ノーカーボン紙、模造紙、グラシン紙、再生紙、白板紙、色板紙、加工紙、上級印刷紙、中級印刷紙、下級印刷紙、微塗工紙、軽量コート紙、インクジェット用紙、ＰＯＤ用紙、昇華熱転写用紙等のプリンター用紙、フォーム用紙、ノーカーボン紙、感熱紙、ＯＣＲ用紙、ＯＭＲ用紙、磁気記録紙等（情報用紙）、未晒クラフト紙・半晒クラフト紙、塗工晒クラフト紙、再生可能防湿紙等（包装用紙）、表面に様々なエンボス加工を加えた紙、他の素材を混ぜ合わせた紙、風合いを出した紙、パール加工紙、ライナー、中芯原紙等（段ボール原紙）、表面に顔料が塗られていないもので、木材(原料)を化学処理した化学パルプと、木材(原料)をほぐしただけの機械パルプを混ぜた、非塗工紙、上質紙、中質紙をベースに片面または両面に塗料を塗って、圧力をかけたロールの間を通し光沢を出した、塗工紙等、木材パルプを原料とし、機械により大量生産された洋紙に対して、楮(コウゾ)、三椏(ミツマタ)、雁皮(ガンピ) 、麻、檀（まゆみ）等を原料とした和紙等がある。
【００３９】
封筒に用いられる素材としては、上記の他に、樹脂含浸紙、合成紙、樹脂フィルム等も用いられる。樹脂フィルムとしては、ポリエチレン（ＰＥ）、ポリプロピレン（ＰＰ）、延伸ポリプロピレン（ＯＰＰ）、ポリスチレン（ＰＳ）、メタクリル樹脂、アクリル樹脂、ＡＢＳ樹脂（ＡＢＳ）、ポリ塩化ビニル等が用いられる。
【００４０】
これらの紙、若しくは板紙、さらには、樹脂フィルムを用いて、上記した様々な用途に用いられる「窓付き封筒」を、枚葉製袋機や、窓貼装置・口糊付装置を組み込んだ輪転製袋機、各種のフォーム印刷加工機等を用いることにより作製することができる。
【００４１】
これら製袋機は、作製する封筒の名称を用いて、平盤製袋機ガゼット製袋機、縦型封筒用洋封筒製袋機、横型封筒用製袋機、若しくは、外カマス製袋機枚葉型角底製袋機等とも呼ばれるものである。
【００４２】
窓付き封筒は、菊判や四六判等の平判の枚葉用紙を、断裁機、若しくは所定の形に打ち抜くことが可能な型抜き刃を有する型抜き機等を用いて、所定の形（封筒を展開した形。所定の位置に窓としての開口を設けておくことができる。）とし、この１片１片を、製袋機によって、窓用フィルムを貼りながら、所定の箇所を糊付けして、作製することができる。
【００４３】
この時、製袋用の糊と、封筒封緘用の糊とは別のものとし、製袋用の糊は、乾燥することで固着する水系アクリルエマルジョン接着剤や、部分的に加圧することで接着する感圧接着剤・粘着剤、加熱により固化反応が促進される感熱接着剤・粘着剤、さらには、高周波乾燥性の接着剤等、窓付き封筒に用いられる封筒素材に対応して、種々のものを用いることができる。
【００４４】
封筒封緘用の糊は、封筒封緘部にアラビア糊等の再湿性の糊を設けておき、封緘時に水等を付着し、封緘するものや、両面テープ方式のもの、さらには、封筒封緘部の「フタ」の部分と「折り返し」部分の両方に糊を設けておく、アドヘアタイプが用いられる。
【００４５】
また、窓用フィルムに用いられる接着剤や粘着剤も上記のものなどを適用することができるが、本発明の透明な窓に用いられる窓用フィルムには、その一方の面にレリーフホログラムが形成され、且つ、着色パターン層Ａ、及びＢが設けられた着色透明レリーフホログラムシートを用いるため、この着色透明レリーフホログラムシートと、封筒用紙との接着が可能な接着剤を選定する。
【００４６】
特に、この着色透明レリーフホログラムシートを、その窓付き封筒開封後に、封筒用紙から剥して、鑑賞用として保管する場合に、その「接着剤・粘着剤の跡」（接着・粘着残渣を意味する。）が残らない、「再剥離性」を有するものを使用することが好適である。
【００４７】
窓付き封筒は、封筒本体の片面に窓部を備えてその窓部の周辺に透明なフィルムの辺部を貼着することでその窓部を覆った基本構造を有する。
【００４８】
封筒本体は、例えば、窓部を有する封筒上紙とこの封筒上紙に重ね合わせる封筒下紙とからなり、相対する四辺に設けた接着手段を介して四方が封着されたものからなる。
【００４９】
この形状の窓付き封筒は、ロール状の封筒上しとロール状の封筒下紙に、用紙送りのためのマージナルパンチ部を設け、それらを分離された状態で準備し、さらに複数枚の封筒上紙が切り取りミシン目を介して連続しているとともに、複数枚の封筒下紙も切り取りミシン目を介して連続していて、一枚ずつ封筒上紙と、窓用の透明なフィルム片とを対応させ、封筒上紙の窓用開口部のその開口より少し内側に感圧接着剤をパターン状に設け、その上にその透明なフィルムを重ねて、四方を圧着して、透明なフィルムを封筒上紙に接着し、そして、再度、一枚ずつの封筒上紙と封筒下紙とを対応させて、四方を封着することで複数単位の窓付き封筒を分離可能にして、連続して得ることができるものである。
【００５０】
封筒本体を構成している封筒上紙と封筒下紙とは、フォーム上質紙等からなるものである。
【００５１】
封筒下紙の重ね合わせ面には封筒上紙の窓部に対応する位置に宛名部が設けられているとともに、封着部分に囲まれた内部領域であってその窓部に対応しない位置に情報記録部が設けられていて、この宛名部と情報記録部とは、予め、フォーム印刷用インキ等を用いて、所要情報、罫線、図柄などの印刷すべき事項が印刷形成され、さらに、宛て名人毎の個別情報等をノンインパクト・プリンター等により印字形成し、また、封筒上紙の重ね合わせ面に地紋等が印刷されていて、情報記録部側に表示する情報を外部から見えないようにしたりして、一体の窓付き封筒とする。
【００５２】
また、例えば、郵便物として郵送する場合には、封筒上紙の外表面（封筒本体としての外面）には郵便料金前納表示マークが印刷され、封筒上紙のマーク以外の領域と封筒下紙の外表面（封筒本体としての外面）にも必要に応じて印刷すべき事項を設ける。
【００５３】
このようにして、所定の印刷が行なわれた後に各種の個別可変情報の印字がなされ、そして、封筒上紙と封筒下紙とが重ね合わされて四方が封着されることで、複数単位が連続している窓付き封筒が得られ、この後、切り取りミシン目から分離して一単位としての窓付き封筒が得られる。
【００５４】
この場合にも、その窓部に、その一方の面にレリーフホログラムが形成され、且つ、着色パターン層Ａ、及びＢが設けられた着色透明レリーフホログラムシートを用いるため、上記同様に、この着色透明レリーフホログラムシートと、封筒用紙との接着が可能な接着剤を用いる。
【００５５】
但し、上記加工は、高速、且つ、連続処理により行われるため、一方の面にレリーフホログラムが形成され、且つ、着色パターン層Ａ、着色パターン層Ｂ及び反射性薄膜層が設けられた着色透明レリーフホログラムシートが貼着された状態で、多数の搬送用ガイドロール（フォーム印刷加工機等の金属ガイドロールを意味する。）にその上面及び下面が接触することになる。
【００５６】
従って、この接触によって、そのレリーフホログラムのレリーフが傷ついたり、そのレリーフが変形されることのないよう、十分な表面硬度を有する、着色透明レリーフホログラムシートを用いることが好適である。
【００５７】
このことから、着色透明レリーフホログラムを形成する材料として、電離放射線硬化タイプのものを使用することはさらに望ましい。着色透明レリーフホログラムシートが多層構成であるならば、少なくともそのレリーフホログラムが形成されている層において使用する。
【００５８】
また、返信用封筒を内臓する、窓付き封筒としては、例えば、
上記の様にして作成した、宛名用の窓部を有する窓付き封筒内に、新たに、返信用封筒上紙と返信用封筒下紙の対向面の封着すべき三周縁は剥離困難に、他の部分は剥離可能に接着し、宛名情報を印字した一辺開口型の返信用封筒を、その宛名情報が、窓付き封筒のその窓部と対応位置するように封入することで作成することができる。
【００５９】
その返信用封筒上紙と返信用封筒下紙の対向面の封着すべき三周縁は剥離困難に、他の部分は剥離可能に接着する構成として、例えば、対向面の一方の全面に接着後に剥離可能な感圧性接着剤による接着剤層を設け、対向面の他方の三周縁にその感圧性接着剤の接着力を増強する接着力増強層を設ける構成を挙げることができる。接着力増強層としては、平均粒子系の小さい微細シリカ粉末をポリビニルアルコール、カルボキシメチルセルロース、セルロースエーテル、でんぷん、及びその誘導体、ゼラチン、アルブミン、アラビアゴムアルキネート類、ポリアクリルアミド、または、ポリビニルピロリドン、あるいはこれらの混合物等からなる樹脂組成物と等量以上混合したものを数μｍの厚さで所定のパターン状に形成することで得られる。
【００６０】
この様な返信用封筒は、返信用封筒上紙と返信用封筒下紙の対向面が剥離可能に接着されるので、返信用封筒面上等へのノンインパクト・プリンター印字等による隙間発生がなく、返信用封筒表面を適正な電荷状態とでき、ドラムとの接触状態も適正なものとなり、確実な印字が可能となる。また、返信用封筒はあたかも１枚のシートのようになるので、窓付き封筒に挿入する作業が容易であって、返信時には、返信用封筒上紙と返信用封筒下紙の剥離可能な接着面を剥離して、申込書等の各種書面を封入することができるものとなる。
【００６１】
さらに、例えば、窓付き封筒は、１枚のシートを折って糊代部を接着してなる通常の封筒であり、開口部を透明フィルムで閉塞して窓部を形成している。そして、この窓付き封筒内に返信用封筒と申込書とを封入することもできる。申込書は、例えば、切り用ミシン目を境として入会申込書と入会案内書とに区分けされ、その入会申込書には表面に「入会申込書」なる表題のほか、入会申込文、申込年月日記入欄、入会者住所氏名記入欄、捺印欄等が印刷される一方、入会案内書には表面に「○○会へ入会のご案内」なる表題と入会案内文が、裏面に返信用封筒の使用説明文が、それぞれ印刷される。
【００６２】
返信用封筒は、宛名情報印字部を表面に有する返信用封筒上紙と表面が返信先情報印字部となった返信用封筒下紙からなり、宛名情報印字部は窓付き封筒に返信用封筒を封入した際に、窓部に対応する位置に設けられている。封筒上紙の裏面である封筒下紙との対向面には、接着後に剥離可能な感圧性接着剤が全面的に塗布されてなる接着剤層が設けられ、封筒下紙の裏面である封筒上紙との対向面には、封着すべき三周縁に接着力増強層が設けられている。
【００６３】
返信用封筒は当初、折り兼切り用ミシン目を介して単位封筒が連接された連続状態にあり、返信用封筒上紙の右端と封筒下紙の左右端には、それぞれ切り用ミシン目が設けられ、これら切り用ミシン目を境として移送孔を設けた用紙搬送用のマージナル部が形成されている。
【００６４】
接着後に剥離可能な感圧性接着剤としては、また、天然ゴムに、スチレンとメタクリル酸メチルとをグラフト共重合させた天然ゴムラテックスにテルペン樹脂系等の粘着付与剤等を添加したものも用いることができる。
【００６５】
返信用封筒上紙と返信用封筒下紙とは、感圧性接着剤の接着条件である所定の圧を加えることにより、封着すべき三周縁では接着力増強層に感圧性接着剤が浸透して接着力が増強されることによって剥離困難に強接着し、他の部分においては剥離可能に弱接着している。このようにして、返信用封筒は、返信用封筒上紙と返信用封筒下紙の対向面が密着したシート状態となっている。
【００６６】
従って、この連続状態にある返信用封筒を、各移送マージナル穴を利用してトラクタ装置により移送しながら、ノンインパクト・プリンターにかけても、封筒上紙と封筒下紙との間に隙間を生じないので、適正状態で電荷がかかり、また、適正状態でドラムと接触するので、返信用封筒上紙の宛名情報印字部に対する宛名情報がカスレ等なく確実になされる。
【００６７】
同様にして、返信用封筒下紙の表出面に印字する返信先情報もカスレ等なく確実になされる。なお、この返信先情報は全ての返信用封筒に共通の不変情報であるから、あらかじめ印刷しておいてもよい。
【００６８】
そして、印字後の連続状態にある返信用封筒は、封筒ごとに切り用ミシン目で分離され、各宛名情報が窓付き封筒の窓部に対応位置するようにして、申込書とともに、窓付き封筒内に封入・封緘装置等を用いて封入・封緘される。この封入・封緘作業は、返信用封筒が１枚のシート状になっているので、円滑かつ確実になされる。
【００６９】
但し、窓付き封筒には、既に、窓用フィルムとして、着色透明レリーフホログラムシートが貼着されているため、この挿入時に、返信用封筒等が、この着色透明レリーフホログラムシートの着色透明樹脂層、着色パターン層Ａ、または、Ｂに引っ掛かって折れ曲がったり、逆に着色透明レリーフホログラムシートを封筒面から剥離することの無いよう（元々、剥離可能な程度の接着力しか持たないため。）、その挿入時に衝突防止用の「ガイド」（薄く平坦な金属へらを、着色透明レリーフホログラムシートの上にあてておく等の処理を行うという意味。このとき、このガイドが着色透明レリーフホログラムシートの着色パターン層Ａ、着色パターン層Ｂ及び反射性薄膜層に傷をつけないよう配慮する必要がある。）を用いることも好適である。
【００７０】
以上の工程によって、窓付き封筒は、一般の封筒と同様に投函可能となって、宛て名人に対して郵送若しくは配送される。
【００７１】
この窓付き封筒を受け取った宛て名人（受取人）は、その窓部に設けられている「宛名」を確認し、自分宛のものか、若しくは、家族宛のものか、さらには、全く他人宛の誤配送のものか等を、確認するが、その時に、その窓部にある「着色パターン層Ａ、及びＢ」（すなわち、パターンＣ）を確実に視認し、それに続いて、その窓部にある「ホログラム」をも確実に視認し、その「ホログラムデザイン」を高い確率で「鑑賞」することになる。そして、その窓付き封筒を傾けることにより、パターンＣが、二つの着色パターン層ＡとＢに由来する、二つの着色パターンに分かれることを認識することとなる。
【００７２】
もしくは、その窓部にある「着色パターン層ＡとＢ」及び、封筒上に同一の色で設けられた印刷層、さらには、封筒上の別の部分に設けられた「ホログラム形成部のホログラムデザイン」及び着色パターン層Ｄを確実に視認し、それに続いて、その窓部にある「ホログラム」、そして、上記した二つの着色パターンに分かれる現象と、「着色透明レリーフホログラムシートのホログラムデザイン」をほぼ１００％の確率で「鑑賞」することになる。
【００７３】
もちろん、その宛名が家族もしくはその他の人のものであったならば、その窓付き封筒は、いずれ、その「該当者」に渡され、その際、再び、その「該当者」が、高い確率、乃至は、ほぼ１００％の確率で、「鑑賞」することになる。
【００７４】
この「鑑賞」率の高さが、すなわち、開封率向上に寄与することは言うまでも無い。
【００７５】
その後、開封して返信用封筒及び申込書を取り出し、この入会案内書の案内文及び説明文を読み、入会を希望する場合には、入会申込書の各記入欄に所定事項を記入したうえ、捺印欄に自己の印鑑を捺印し、さらに、切り用ミシン目を破断して入会申込書と入会案内書を分離する。そして、返信用封筒の封筒上紙と封筒下紙の剥離可能な接着部分を離反し、入会申込書を挿入したうえ、糊付けして封緘する。これによって、返信用封筒は一般の封筒と同様な投函可能状態となり、返信先に対して郵送される。
【００７６】
そして、窓付き封筒そのもの、若しくは、着色透明レリーフホログラムシートを、窓付き封筒の封筒本体より分離し、個人の鑑賞用として保管することもできる。
【００７７】
この際、「着色透明レリーフホログラムシートのホログラムデザイン」のみならず、パターンＣが、二つの着色パターンに分かれる現象をも十分に楽しむことができる。
【００７８】
さらに、着色透明レリーフホログラムシートは、通過する光を回折する機能を持つため、その着色透明レリーフホログラムシートの直下にある「宛名等の情報」を、斜め上方から視認する行為に対して、その視認性を低下させる効果を有し、着色パターン層ＡやＢはその効果を助長する。
【００７９】
窓付き封筒の宛名等は、「個人情報」として保護すべき対象であって、不要な開示を避ける必要があるが、宛名等の上に、着色透明レリーフホログラムシートを設けることで、斜めからの不要な視認（本人の横又は後ろから覗き見したり、封筒を離れた位置から見ようとするなど。）を抑制することができる。特に、メール便等への対応限定となるが、形成するホログラムの回折効率を高いものとしたり、着色パターン層ＡやＢの着色透明レリーフホログラムシート全体の面積に占める割合を大きくして（面積比で５０％〜９０％としてもよい。宛名等の配達時に必要な情報以外をほぼ覆い隠すパターンとしてもよい。）、悪意を持った宛名部分の複写等（コピー機や、デジタルカメラ等での光学的な複写を意味する。）までをも抑制することが可能となる。
【００８０】
なお、例えば、返信用封筒の封筒上紙と封筒下紙を剥離可能に接着する構造として、エチレン−酢酸ビニル系樹脂、アクリル系樹脂、塩化ビニル系樹脂、塩化ビニリデン系樹脂、合成ゴム系樹脂をベースにした感圧性接着剤を用いてもよい。また、返信用封筒の封緘は糊付けによるほか、あらかじめ両面接着テープを設けて、一方を剥離紙で被覆保護するよう構成してもよい。さらに、返信用封筒は連続状態ではなく、当初から単位状態にあってもよい。この場合には、移送用マージナル穴を有するマージナル部は不要になる。
【００８１】
また、この窓付き封筒に封入するものとしては、返信用封筒と申込書の組合わせに限らず、返信用封筒は必須要件であるが、申込書に加えて関連する他の文書類を同封したり、申込書に換えて、残高通知等に対する確認書等を同封することもできる。さらに、返信用封筒の宛名情報と返信先情報を同一面に印字してもよい。
【００８２】
着色透明レリーフホログラムシートに用いられる着色透明樹脂層の第一の面にレリーフホログラムを形成するには、着色された透明なフィルムそのもの（これが着色透明樹脂層となる。）を、ホログラムレリーフを有する「ホログラム形成層」とする方法、または、着色された透明基材の少なくともその一方の面に、透明な樹脂（着色されていてもよい。）をコーティングして、ホログラムレリーフを有する「ホログラム形成層」を設けた積層体（これが着色透明樹脂層となる。）とする方法により得られる。
【００８３】
前者の方法においては、ホログラム形成層は、着色された透明な樹脂材料または、着色された透明な樹脂フィルム（以下、総称して「樹脂」とも称する。）で構成される。
【００８４】
その着色された透明な樹脂としては、アクリル酸エステル樹脂等の各種の熱可塑性樹脂、不飽和ポリエステル樹脂等の熱硬化性樹脂、もしくはエポキシアクリレート等の電離放射線硬化性樹脂に適宜な顔料は染料を１％〜２０％添加したものを用いることができ、好適には、３％〜１０％添加する。
【００８５】
この添加量が、１％未満であると、「着色」されていると認識し難く、また、２０％を超えると、本発明に必要な透明性が著しく低下する。
【００８６】
もちろん、その透明性を確保するために、添加する顔料や染料を超微粒子（平均粒径：０．０００３μｍ〜０．０３μｍ）とすることは好適である。
【００８７】
上記の樹脂を用いてホログラム形成層を形成するには、感光性樹脂材料にホログラムの干渉露光を行なって現像することによって直接的に形成することもできるが、予め作成したレリーフホログラムもしくはその複製物、またはそれらのメッキ型等を複製用型として用い、その型面（ホログラムレリーフをその表面に有する。）を上記の樹脂に押し付けることにより、賦型を行なう。
【００８８】
若しくは、成形用型に上記ホログラムレリーフを形成し、押出成形法、ブロー成形法、真空成形法、カレンダー加工法等の各種成形方法により、樹脂を成形すると同時にホログラムレリーフを形成して、ホログラム形成層とすることもできる。
【００８９】
そのホログラム形成層の厚さは、５μｍ〜２００μｍとする。好適には、２０μｍ〜５０μｍである。もちろん、この厚さは薄い方がコスト面や、透明性を確保するためには有利であるが、５μｍ未満では、シートとしての強度が不十分で封筒加工適正や、郵送や配送適正に欠け、２００μｍを超えると、窓部とその他の部分とに大きな段差が生じ、封筒加工時に引っ掛かりが起きる等、封筒加工適正や、郵送や配送適正に欠けるものとなる。
【００９０】
以上の方法は、樹脂を担持するための透明基材を介することなく、直接、樹脂から形成することができるため、あらかじめ透明基材に樹脂をコーティングしておく工程が不要となり、コスト面及び、管理面において優れる。
【００９１】
また、後者の方法においては、その透明基材として、厚みを薄くすることが可能であって、機械的強度や、着色透明レリーフホログラムシートを製造する際の処理や加工、さらには、窓付き封筒加工時の封筒用紙との接触や、各種加工機の搬送用ガイドロールとの接触に対する耐磨耗性等が高く、それらの処理や、加工に適した耐溶剤性、耐熱性及び耐摩耗性等を有するものであって、封筒に用いる材料との適度な接着性および再剥離性を有する、透明基材を用いることが好ましい。
【００９２】
その加工方法にもよるので、限定されるものではないが、着色されたフィルム状もしくは着色されたシート状のプラスチックが好ましい。
【００９３】
例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを着色したものを例示することができる。
【００９４】
その着色された透明基材の厚さは、通常５〜１００μｍであるが、その取り扱い適正から２５〜１００μｍとすることが望ましい。
【００９５】
この着色された透明基材上にコーティングした透明な樹脂に、上記と同様な手法を用いてホログラムレリーフを形成することができる。
【００９６】
ホログラムは物体光と参照光との光の干渉による干渉縞を凹凸のレリーフ形状で記録されたもので、例えば、フレネルホログラムなどのレーザ再生ホログラム、イメージホログラム及びレインボーホログラムなどの白色光再生ホログラム、さらに、それらの原理を利用したカラーホログラム、コンピュータジェネレーティッドホログラム（ＣＧＨ）、ホログラフィック回折格子などがある。また、マシンリーダブルホログラムのように、その再生光を受光部でデータに変換し所定の情報として伝達したり、真偽判定を行うものであってもよい。
【００９７】
但し、マシンリーダブルホログラムを採用する場合には、着色パターン層ＡやＢが、そのホログラム再生の阻害とならないように、その着色パターン層ＡやＢの形成位置や、形成する大きさを考慮する必要がある。さらには、「ホログラム再生における冗長性」を利用する意味において、その着色パターン層ＡやＢを形成する際に、網点直径を５０μｍ〜３００μｍとし、網点率を３０％〜７０％とする網点状で形成することも好適である。
【００９８】
但し、ホログラム形成層上にその中心を置き、その前後に像を再生するイメージホログラムや、ホログラムとしての再生効率が高いものは、ホログラム形成層中での光の屈折・散乱もしくは光を反射する率が高く、着色透明レリーフホログラムシートを通過して、その下にある宛名情報等を光学的に認識する場合には不向きであるため、上記した郵便規則で定められている光学的特性を満足するものとするためには、ホログラム再生像の再生する位置（結像位置）を、そのホログラム形成面から２．０ｍｍ〜２０ｍｍの距離とした、レーザ再生ホログラム、白色光再生ホログラム、カラーホログラム、ＣＧＨ及びマシンリーダブルホログラムとする。また、回折格子であっては、その回折効率が、１％〜１０％のものとする。１％未満では、ホログラムそのものを認識し難く、１０％を超えると、その光の回折により、０次回折光（これが宛名等の光学的読み取りに寄与する。）の強度を低下させ、上記した郵便規則を満足しなくなる。
【００９９】
もちろん、郵便によらず、直接配送を行う場合には、この制限がないため、あらゆるホログラムが使用できるが、あくまで宛名等を視認する必要があることから、その回折効率は、２０％以下とする。回折効率が２０％を超えると、その０次回折光が、着色透明レリーフホログラムシートを通過して、その下に配置された宛名等の情報記録面で反射され、再び、着色透明レリーフホログラムシートを通過して戻ってくるときには、その光の強度は、最初の通過時に±１次回折（例えば、その２つの回折光が均等に存在する場合。）により０次回折光が６０％となり、情報記録面において、光の吸収・散乱により、さらに低下し、例えば、５０％程度となり、そして、２度目の通過で、３０％以下となって、情報そのものを視認することが難しくなる。
【０１００】
もちろん、これらのことは、着色透明レリーフホログラムシートの光透過性における波長選択性に大きく依存することは言うまでもない。
【０１０１】
窓付き封筒に封入された書面等の上に記録された宛名等の情報は、その封筒に封入された状態において、その宛名等と着色透明レリーフホログラムシートのホログラムレリーフ面とは、通常、ほぼ接しているか、着色透明レリーフホログラムシートの厚さ分だけ離れているのみであるため、ホログラム結像位置が、ホログラム形成面（ホログラムレリーフ面）から、２．０ｍｍ以上離れていることで、その光学的読み取りへの影響を抑制することができる。また、レリーフホログラムにおいて、その結像位置が、２０ｍｍ以上離れるとその再生像の視認性が低下する。特に、３．０ｍｍ〜５．０ｍｍが最適である。
【０１０２】
そして、このようにホログラム結像位置がホログラム形成面から離れていることで、ホログラム再生像が、観察角度に応じて左右上下に移動し、着色パターン層ＡやＢの背後に隠れたり、その上に乗っかっているように観察されるように設定でき、その意匠性や意外性を高めることを可能とする。
【０１０３】
また、上記した意味において、リップマンホログラム等の体積ホログラムは不適当であって、本発明の対象を、透明性に優れ、通過する光の散乱性の低い、「レリーフホログラム」とする。
【０１０４】
ところで、レリーフホログラムは、その微細な凹凸によって、それを通過する光、もしくはそれによって反射する光に位相差を与え、この位相差がホログラムを再生するものである。以下、一方の面にのみホログラムレリーフを形成した例について説明するが、透明な樹脂フィルムの両面に形成してもよいし、積層体とする場合には、着色された透明基材の両面にホログラム形成層を設けてもよい。
【０１０５】
位相差は、通過する場合は、単純に凹凸深さをｄとし、構成する樹脂の屈折率をｎとして、単純に、樹脂を通過する場合のｎ×ｄから、空気（屈折率＝１）を通過する場合の１×ｄを差し引いたもの、すなわち、位相差＝（ｎ−１）ｄ  となる。
【０１０６】
しかし、反射する場合には、その状況がより複雑であって、その凹凸が接している「空気」との界面において反射が起きる為、例えば、その凹凸面側から光を照射し、樹脂に光が入る前に、その「空気と樹脂との界面（ここに凹凸が存在する。）」にて反射する場合には、空気の屈折率が１であるため、位相差は２ｄ（位相差＝２ｄ）となる。
【０１０７】
もしくは、その樹脂面から光を照射し、樹脂中を光が通過し、その光が樹脂を出る前に、その「空気と樹脂との界面（ここに凹凸が存在する。）」にて反射する場合には、樹脂の屈折率がｎであるため、その位相差は２ｎｄ（位相差＝２ｎｄ）となる。
【０１０８】
ホログラムの再生効率を、回折格子の回折効率、例えば、最も単純化して、微細凹凸の深さをｈとした、樹脂屈折率ｎ＝１．５のラミナー格子において、説明すると、以下の様になる。
【０１０９】
・入射光の波長λ、入射光の入射角α、回折光の回折角βとすると、その回折効率が最大となる「ｈ」の最適値（最適深さ）は、
・空気側からの入射：  最適深さｈ１＝λ／２（ｃｏｓα＋ｃｏｓβ）
・樹脂側からの入射：  最適深さｈ２＝λ／２×１．５（ｃｏｓα＋ｃｏｓβ）
従って、樹脂側からの入射時の最適深さを基準とすると、空気側からの入射時の最適深さは、その１．５倍の深さとなる。
【０１１０】
例えば、着色透明レリーフホログラムシートの裏面にホログラムレリーフを設けた場合、電子線レジストやフォトレジストの現像において、現像時間を調整し、その深さを、裏面鑑賞用に調節する（空気側からの入射を最適化。）と、裏面からは鮮明なホログラム再生像を視認でき、表（おもて）面からは、その深さが最適値に対して２／３（約７割）しかない深さを持つホログラムレリーフに相当することになり、その回折効率は大きく低下して、不鮮明、且つ、暗いホログラムしか見ることができないものとなる。
【０１１１】
樹脂の屈折率（最大で２．１程度）、若しくは、このホログラム形成部分を透明な無機材料としてさらにその屈折率を大きく（最大で３．０程度）すると、その傾向はより顕著なものとなる。
【０１１２】
以上のごとく、ホログラム再生像の鮮明度は、参照する光に与える位相差にによって大きく影響を受け、理論的には、参照光と物体光が形成した「光の干渉縞」領域におけるここの微細領域における微細な「位相分布」に等しい「位相差」を与えるものが、歪みやボケの無い、最も鮮明な再生像を与え、この「位相分布」から外れた「位相差」を与えた場合には、再生像の鮮明性が著しく劣化する。
【０１１３】
このことは、着色透明レリーフホログラムシートを封筒の窓に貼着し、その封筒を開封する前に反射光にてホログラムを観察する場合（表からの観察）と、開封後にやはり反射方式にてホログラムを観察する場合（裏からの観察）とにおいて、上記した「位相差」に樹脂の屈折率ｎ倍の差が存在することを意味しており、本発明においては、いずれの場合も設定可能であるが、以下の説明においては、「裏からの観察」に合わせて、その微細凹凸（すなわち、ホログラムレリーフ）の深さを調整する。
【０１１４】
これにより、窓付き封筒を開封する前には、ホログラムの存在は判別できるものの、その鮮明さに劣るものしか視認できず、その封筒上などに記載したメッセージ、例えば、「ホログラムは裏面よりご鑑賞下さい。」との説明書きにより、受取人は、窓付き封筒を開封する意欲を喚起され、開封後に視認することで、本来の鮮明なホログラムを見ることができるように構成することができ、窓付き封筒の「開封率」を大きく改善することが可能となる。もちろん、このメッセージを着色パターン層ＡとＢによるパターンＣとして表してもよいし、封筒上に設ける「定められた色で形成された印刷層」や、ホログラム形成部に設ける着色パターン層Ｄで表してもよい。
【０１１５】
このため、上記したラミナー格子を想定した場合には、その屈折率ｎは、１．３以上、さらには１．５以上であることが好ましい。また、上記したように屈折率が大きくなりすぎると、表（おもて）面から観察した時のホログラム再生像が暗くなりすぎるため、その屈折率ｎは、１．８以下であることが好ましい。
【０１１６】
もちろん、「開封しなければ見ることができない」、すなわち、「開封してその着色透明レリーフホログラムシートをその封筒から剥して、そして、照明光源にそのシートをかざすことによってしかみることができない」、「透過光によるホログラム鑑賞」を、その最大回折（再生）効率のものとして、「開封を促す」ことも好適である。
【０１１７】
このようにして、着色透明レリーフホログラムシートを「裏面」から観察する際に現れるホログラム再生像と、パターンＣとが、融合して一つのデザインとして観察できるように設けたり、そのホログラム再生像とパターンＣとが、配置面や、その意味するところにおいて関連性のあるものとすることはその意外性や意匠性を高め、結果として窓付き封筒の開封率を向上させることにつながるため非常に好ましい。
【０１１８】
また、微細な凹凸を精密に作成するために、光学的な方法だけでなく、電子線描画装置を用いて、精密に設計されたレリーフ構造を作り出し、より精密で複雑な再生光を作り出すものであってもよい。このレリーフ形状は、ホログラムを再現もしくは再生する光もしくは光源の波長（域）と、再現もしくは再生する方向、及び強度によって、そして上記の設定条件を加味して、その凹凸のピッチや、深さ、もしくは特定の周期的形状が設計される。凹凸のピッチ（周期）は再現もしくは再生角度に依存するが、通常０．１μｍ〜数μｍであり、凹凸の深さは、再現もしくは再生強度に大きな影響を与える要素であるが、通常０．１μｍ〜１μｍである。
【０１１９】
さらに、ホログラムレリーフ界面における反射率を向上するため、このホログラムレリーフに追従して、透明金属化合物薄膜等の透明性と反射性を兼ね備えた薄膜を適宜形成することも好適である。
【０１２０】
本発明の着色透明レリーフホログラムシートは、着色透明樹脂層の第一面に形成したホログラムレリーフ面を反射面とし、着色透明樹脂層の第二面の方から、参照光（照明光を意味する。）を入射させ、「着色透明樹脂層からなるホログラム形成層」（以下、ホログラム形成層と称する。）を透過して、そのホログラムレリーフ面（反射面）で反射した光（３次元物体の情報を含んでいる光となっている。）が、再び、ホログラム形成層を透過して、参照光入射側に戻ってくる光によって、ホログラム再生像を視認する。
【０１２１】
また、本発明の着色透明レリーフホログラムシートは、ホログラム形成層の第二面（ホログラムレリーフを形成していない面）に、透明着色パターン層Ｂが形成され、その透明着色パターン層Ｂが表している「パターン」（パターンｂ）が、その透明着色パターン層Ｂと「同色」の「パターン」（パターンｂ）として、視認される。
【０１２２】
さらに、本発明の着色透明レリーフホログラムシートには、ホログラム形成層のホログラムレリーフを埋めるように形成された着色パターン層Ａが形成され、その着色パターン層Ａが表している「パターン」（パターンａ）が、着色パターン層Ａと「同色」の「パターン」（パターンａ）として、視認される。
【０１２３】
そして、透明着色パターン層Ｂの「パターンｂ」と、着色パターン層Ａの「パターンａ」とが、「一つの色を有する一つのパターンＣ」を構成するように形成されているため、この「色」の同一性により、本発明の着色透明レリーフホログラムシート上には、一つの「パターンＣ」が形成されているように観察される。
【０１２４】
そもそも、「色」とは、「物体」からの反射光を、色相(色合い)、彩度(鮮やかさ)、明度(明るさ)の３つの要素で認識した（視認される）「情報」である。
【０１２５】
そして、「色調」とは、色の濃淡・明暗・強弱などのぐあい、すなわち、色合いを意味し、「彩度」と「明度」を複合した概念であって、色彩の強弱及び、濃淡の調子のことを意味する。
【０１２６】
従って、ここでいう「同色」とは、二つ以上の「物体」が、「同一の色を呈する」ことであって、それらが、「同一の色相」及び「同一の色調」を有していることを意味し、それらを視認したときに、それらが「同じ色」と認識されることをいう。
【０１２７】
すなわち、透明着色パターン層Ｂや、着色パターン層Ａは、透明性を有する樹脂に、染料や顔料を分散・溶解したものを用いるが、染料や顔料の種類、その分散性・溶解性、顔料粒子の大きさや、形状、その表面状態、その他の添加剤、そして、形成方法や、形成時の乾燥条件、硬化条件、さらには、その厚さや、界面の状態により、色相、彩度、明度が決まり、そして「色」が定まることとなる。
【０１２８】
しかし、この透明着色パターン層Ｂや、着色パターン層Ａの裏面に、反射面が存在したり、反射層を設けて、透過した光を反射させた場合には、その光の波長や、光の強度によって、上記の３要素が変化し、結果として、視認される「色」が異なることとなる。
【０１２９】
以上のように、本発明における「同一の色」とは、この視認される「色」のことを意味する。
【０１３０】
従って、その透明着色パターン層Ｂにおいて視認される「色」は、上記したホログラム再生像により影響を受けることなる。
【０１３１】
すなわち、ホログラム形成層の第一面にホログラムレリーフを形成した着色透明レリーフホログラムシートに、ホログラム形成層の第二面から入射した参照光は、透明着色パターン層Ｂの領域及び、その他の領域から、ホログラム形成層を透過し、ホログラムレリーフ面で反射すると同時に、ホログラム再生像の情報を含み、再び、ホログラム形成層を透過し、さらに、透明着色パターン層Ｂの領域においては、透明着色パターン層Ｂをも透過し、その他の領域においては、そのまま、観察者側に戻ってくる。
【０１３２】
この際、ホログラム再生像を含んだ反射光は、上記したように、「物体光の位相や、振幅の情報」を含んでいるため、透明着色パターン層Ｂの領域、すなわち、「パターンｂ」の領域の「色」に、僅かではあるが「変化」を与えることになる。
【０１３３】
これに対して、着色パターン層Ａの視認性は、上記したホログラム再生像によっては影響を受けない。
【０１３４】
すなわち、着色パターン層Ａは、ホログラム形成層のホログラムレリーフを埋めるように形成されており、従って、着色パターン層Ａが形成する「パターンａ」の領域内においては、ホログラムレリーフ面（界面）にて、ホログラム形成層を構成する透明樹脂と、着色パターン層Ａを構成する樹脂が、直接、「接着」しているため、この界面での反射が抑制され、この界面に入射する光は、この界面を単に「透過」してしまうこととなる（ホログラム情報を含まず、「素通り」するという意味。）。
【０１３５】
従って、ホログラム形成層の第一面にホログラムレリーフを形成した着色透明レリーフホログラムシートに、ホログラム形成層の第二面から入射した参照光は、ホログラム形成層を透過し、着色パターン層Ａの領域、すなわち、「パターンａ」の領域においては、ホログラムレリーフ面（界面）を透過（着色されたホログラム形成層による波長選択的吸収が生じる。）して着色パターン層Ａに入射し、着色パターン層Ａを透過して、または、着色パターン層Ａの領域以外の領域においては、直接、反射面（ここでは、着色パターン層Ａのホログラムレリーフと接している面とは反対の面と、ホログラム形成層のホログラムレリーフ面を意味する。）、もしくは、反射性を兼ね備えた薄膜をその反射面を覆うように設けてある場合には、その反射性を兼ね備えた薄膜に到達することとなる。
【０１３６】
そして、着色パターン層Ａの、ホログラムレリーフと接している面と反対側の面は、「平坦な面」となっており、この「平坦な面」と空気の屈折率差によって生じる「光の正反射光」となる。また、この「平坦な面」に追従して、反射性を兼ね備えた薄膜が接着している場合には、この領域での「光の反射」は、この反射性を兼ね備えた薄膜による「光の全反射光」となる。
【０１３７】
この光の正反射光や全反射光は、ホログラム再生像の情報を持たず、「パターンａの形」をその情報として、反射方向へ進み、再び、着色パターン層Ａ及びホログラム形成層を「透過」して、その観察側に戻ってくるため、観察側において「パターンａ」をその「色」において鮮明に視認することとなる。
【０１３８】
すなわち、この「パターンａ」の領域には、ホログラム再生像が視認されず、形成した「色」そのものを確認することができる。
【０１３９】
このような「視認性の違い」（「パターンｂ」、及び「パターンａ」の各パターンの「見え方」が、「色の違い」を根拠として、「異なるもの」として認識されることを意味する。）を有する、透明着色パターン層Ｂの「パターンｂ」と、着色パターン層Ａの「パターンａ」とが、「同一の色を有する一つのパターンＣ」を構成するように形成されているため、ホログラム再生像の光が進む方向以外の観察角度においては、この「色」の同一性により、本発明の着色透明レリーフホログラムシート上には、単に、「一つの色を有する、一つのパターンＣ」が形成されているように観察される。（一様に着色されている透明基材の色を背景として、その中に、別の「色」が浮き上がっているように見えることを意味する。また、ここで言うところの一つの「色」とは、この一様な着色による影響を考慮した上で「同一」とせしめた「色」を意味する。以下、説明を簡略化するため、これらの詳細な説明は、省略する。）
しかし、ホログラム再生像が発現する方向（角度）において、観察すると、全く「色」に変化を生じない「パターンａ」と、僅かに「色」に変化を生じる「パターンｂ」とで、確実に判別可能な「色差」が発生し、「パターンＣ」が、単一の「一つのパターン」ではなく、２種類の「パターン」で構成されていることが判読されることとなる。
【０１４０】
この「視認性の違い」は、一方のパターンが、観察角度に依存せず、一定の色にて、「安定」して視認できるものとして認識され、他方のパターンが、観察角度を変えたとき（着色透明レリーフホログラムシートをそのシート平面内において回転させる等により、ホログラム再生像の再生方向を変え、相対的に、その観察角度を変えることができる。）、その「色」が、いわば「不安定」なものとして認識されることを意味する。
【０１４１】
ここでいう「色差」とは、例えば、Ｌ*ａ*ｂ*色度図（ＬＡＢ表色系）における△Ｅ｛＝（△ａ2＋△ｂ2＋△Ｌ2）1/2）｝で表される「色差」であって、「同色」とは、この「色差」が、０．５以下となることを意味する。
【０１４２】
国際照明委員会（ＣＩＥ）が提唱する表色系には、その他ＲＧＢ系、ＸＹＺ系（Ｙｘｙ系）、ＵＶＷ系（Ｌｕｖ系）等があるが、これらは相関しており、容易に換算が可能であって、その換算値を用いることもできる。
【０１４３】
そして、「色」の変化は、この△Ｅが０．５を超えると「差があるもの」として認識され（ＳＬＩＧＨＴ：差がわずかに感じられる。）、１．５を超えると明確にその「違い」を視認できる（ＮＯＴＩＣＥＡＢＬＥ：差がかなり感じられる。）。
【０１４４】
本発明の着色透明レリーフホログラムシートを観察する一般的環境は、前述した種々の用途において、本発明の窓付き封筒を使用する環境であって、主として、郵便物や配送物を受け取って確認する場面における家庭内環境であり、場合によっては、屋外で受け取る場合の太陽光線、もしくは、太陽光線が建物等で反射した光が入射光となる環境である。
【０１４５】
家庭内環境においては、一般家庭内の照明である蛍光灯等が光源となって、その蛍光灯等が発する光が入射光となるため、その角度は、複数、且つ、様々であり、それら多数の入射光によって、個々に対応するホログラム再生像が発現する。屋外においても、直接、太陽光線下で観察しない限り、同様である。
【０１４６】
従って、この透明着色パターン層Ｂの「パターンｂ」は、それら対応する複数のホログラム再生像が発現する角度において、その度に、その「色」を変化させることとなり、他方、着色パターン層Ａの「パターンａ」の領域は、一つの「色」を常に呈することとなる。
【０１４７】
このように、「パターンａ」が「一定」の色を呈することは、この「色」を基準として、僅かに色が変化する「パターンｂ」を「対比する」ことを可能としており、この「対比」により、その意匠性や意外性を高めている。
【０１４８】
この対比は、本発明の窓付き封筒の透明な窓以外の部分に、その「色」、すなわち、「パターンＣとして認識される色」（これは、透明な窓の「パターン層Ａ」の部分を視認した際の、そのほぼ変化しない「色」を意味する。）を呈する「印刷層」（「その『色』で形成された印刷層」を意味する。）を適宜な印刷デザインを用いて設けることにより、より強調され、「対比の基準となる色」の認識性を高めて、その「対比」をし易くし、「対比」による意外性をさらに高めることができる。
【０１４９】
この「印刷層」は、適宜な印刷方法を用いて、適宜な印刷デザインにより、本発明の窓付き封筒の透明な窓以外の部分に設けることができる。
【０１５０】
また、封筒に封入する封入物の窓部から視認できる領域に、設けることも好適である。この場合には、窓部に設けた「パターンａ」や「パターンｂ」、そして「パターンＣ」と比較的近い位置に、もしくは、「パターンＣ」の延長と思われる位置に設けることができ、「対比の基準」を増すことができるため好適である。
【０１５１】
但し、この「印刷層」は、窓付き封筒の封筒上、すなわち、封筒に用いた素材上の形成することとなるため、その素材の表面性、例えば、表面粗さ、白色度、光沢度、さらには、その表面を形成している樹脂材料や各種添加剤等の性質、を考慮して、それらに適した印刷層形成用のインキを選定し、酸化重合や紫外線硬化等の適宜な乾燥手法を用いて、オフセット印刷、ドライオフセット印刷、グラビア印刷、インクジェット印刷、シルクスクリーン印刷等により、適宜な厚さに形成する。また、封入物の上に設ける場合も同様の配慮が必要となるが、この場合には、さらに、その「印刷層」を、着色透明レリーフホログラムシートを通して観察することとなるため、この影響を考慮した上で、同一の「色」を作りだず必要がある。
【０１５２】
その「印刷層」の厚さは、上記した「色」に合わせることを前提として、１．０μｍ〜２０μｍの範囲内で調整する。
【０１５３】
さらに、その窓付き封筒の透明な窓以外の部分に、少なくともホログラム層、反射層、及び接着層からなるホログラム形成部を設け、且つ、そのホログラム形成層上、または、ホログラム形成層と反射層との間に、やはり、上記した「色」、すなわち、「パターンＣとして認識される色」を呈する「着色パターン層Ｄ」（「着色パターン層Ｄがその『色』を呈する」ことを意味する。）を適宜なパターン（「パターンｄ」とする。）を用いて設けることにより、ホログラム層により再生される鮮明なホログラム再生像で非常に強い注意喚起を促し、且つ、その中にある「パターンｄ」を表す「色」によって、上記した「対比」を促し、その「対比の基準となる色」の視認性を高めて、「対比」による意外性をさらに高めて、その開封率の著しい向上を可能とする。
【０１５４】
この際、着色パターン層Ｄは、上記した現象と同様の効果によって、その反射層から生成される「ホログラム層に記録したホログラムの再生像」によって裏面から照明されるため、「パターンＣとして認識される色」と「パターンｄとして認識される色」とを同一の「色」とするためには、「ホログラムレリーフ面からのホログラム再生像による着色パターン層Ｂの見え方」と「ホログラム層からのホログラム再生像による着色パターン層Ｄの見え方」とを同様のものとすることが望ましい。（例えば、その２つのホログラム再生像の再生方向を同様の方向とするなどの手法をとること意味する。）
そして、この反射層として、アルミニウム等の金属を用いず、ＴｉＯｘ等の金属化合物を用いた透明性を有する反射層を用いた場合には、上記した「着色パターン層Ｄ」は、さらに、反射層と接着層との間、さらには、接着層上に設けることができる。
【０１５５】
但し、この場合には、「着色パターン層Ｄ」を視認する際に、反射層や接着層までをも透過した光で観察することとなるため、「色」を同一とするための調整がかなり困難を伴うものとなる。
【０１５６】
また、そのホログラム形成部は、封筒上に直接形成したものであってもよいし、剥離性を有する転写箔用基材上に、ホログラム層、反射層、及び接着層を設けたホログラム転写箔を用いて、窓付き封筒の封筒面上の所定の位置に転写形成するか、ラベル基材上に、ホログラム層、反射層、及び接着層（この場合には、接着層が粘着層の役割を担う。）を設けたホログラムラベルを同様にその封筒面上に貼着して設けてもよい。
【０１５７】
そして、ここで用いられるホログラム層、反射層、及び接着層、さらには、剥離性を有する転写箔用基材、もしくは、ラベル基材は、一般的なホログラムラベルや、ホログラム転写箔として通常用いられている材料の中から適宜選択することができる。
【０１５８】
また、透明着色パターン層Ｂを、透明性を有しながら、ホログラム再生像を発現する反射光を僅かに透過するものとし（透過後のホログラム再生像のホログラム再生効率を回折格子換算の回折効率で表して、１〜５％とすることを意味する。）、そして、着色パターン層Ａを隠ぺい性の高いものとすると、着色透明レリーフホログラムシートを一瞥したのみでは、上記した「視認性の差」を「認識し難いもの」とすることができ、この僅かな「視認性の差」が存在することを知りうる者（正当な権利を有する者を意味する。）のみが、その「差」を判読し、判定することができるようになる。
【０１５９】
このようにして、本発明の窓付き封筒を受け取る者が、確かに自分宛ての郵便物、もしくは、配送物であることを確認できるようにすることも好適である。
【０１６０】
すなわち、ホログラム再生像を発現しない方向から観察した場合には、「パターンｂ」及び「パターンａ」は、いずれも、その背後の反射面、もしくは、反射性を兼ね備えた薄膜からの反射光を受けて、その領域の隅々まで一様な明るさを付与された、同一の「色」として観察されることとなる。
【０１６１】
この反射光は、「パターンｂ」においては、ホログラムレリーフ面、もしくは、その面に追従して形成されている反射性を兼ね備えた薄膜からの「０次回折光」であって、その反射角度は、「正反射光」と同一の角度となる。そして、「パターンａ」における反射光は、着色パターン層Ａの下の「平坦な面」、もしくは、その面に追従して形成されている反射性を兼ね備えた薄膜からの「正反射光」となる。
【０１６２】
このように、いすれの領域における反射光も、同一角度に反射する光となる。
【０１６３】
そして、その反射光の強度は、「パターンａ」の方が大きくなるため（０次回折光は、入射光強度から、±１次〜高次回折光の光の強度を差し引いた強度となる。）、着色パターン層Ａの光透過性を、透明着色パターン層Ｂの光透過性より低下させて（層の厚さを厚くするなどの方法により、隠ぺい性を持たせるという意味。）、それらの視認性を同一とすることが好ましい。（ここでいう「視認性が同一」とは、それらの反射光を色差計等により光学的に測定した場合に、「同一の色」となることを意味することは言うまでもない。）
例えば、「パターンａ」の反射光と、「パターンｂ」の反射光との比が、１．５／１の時には、着色パターン層Ａと透明着色パターン層Ｂに、同一の透明樹脂、同一の染料または顔料を用い、その厚さの比を１．５／１とする。
【０１６４】
もしくは、着色パターン層Ａの方に、透過する光を散乱させる効果を有する、シリコン樹脂等の透明な微粒子を添加することも、その調整が容易であるため好適である。
【０１６５】
また、透明着色パターン層Ｂの透明性を高いものとすると（透過後のホログラム再生像のホログラム再生効率を回折格子換算の回折効率で表して、１０〜３０％とすることを意味する。）、上記したホログラム再生像が発現する角度において、透明着色パターン層Ｂの「パターンｂ」の領域と、その領域の周辺領域とのコントラスト（明るさの差）が小さくなり、あたかも「パターンｂ」が消失したように視認されるため、このように「消失」する部分を混入させることも、その意匠性や意外性を高めるためには好適である。
【０１６６】
尚、回折効率は、光源として、半導体レーザー（例えば、キコー技研 ＭＬＸ標準コリメートレーザー：電圧ＤＣ４．８〜６．５Ｖ・平行光時ビーム径拡大６ｍｍ）を用い、入射光強度に対する反射光強度の割合（％）で求めることができる。
【０１６７】
透明着色パターン層Ｂと、着色パターン層Ａとを、いずれも透明性の高いものとすると、「パターンｂ」においては、全反射光が強くなり、「パターンａ」においては、ホログラムレリーフの０次回折光が、正反射光（すなわち、全反射光と同一の角度に進む光を意味する。）として強く反射し、いずれも明るい色を有する領域となって、その視認性を高めることができ、また、「視認性の差」を僅かなものとすることもできる。
【０１６８】
これらの効果は、透明着色パターン層Ｂと、着色パターン層Ａとを、いずれも透明性の高いものとしたときには、着色透明樹脂層の屈折率が高く、且つ、着色パターン層Ａの屈折率も同様に高い場合（いずれもその屈折率が１．８以上とした場合。）や、反射性を兼ね備えた薄膜の光の反射率が高い場合（照明光となる可視光線の反射率が７０％以上の場合。）に顕著に表れる。
【０１６９】
逆に、透明着色パターン層Ｂを、透明性を有しながら、ホログラム再生像を発現する反射光を僅かに透過するものとし、着色パターン層Ａを隠ぺい性の高いものとしたときには、明樹脂層の屈折率が低く、且つ、着色パターン層Ａの屈折率も同様に低い場合（いずれもその屈折率が１．３以下とした場合。）や、反射性を兼ね備えた薄膜そのものの光の反射率が低い場合（照明光となる可視光線の反射率が３０％以下の場合。）に顕著に表れる。
【０１７０】
以上のように、透明着色パターン層Ｂの上下の面、及び、着色パターン層Ａの下の面、の形成形状は、透過乃至は反射する光に対して、散乱性を持たず、着色透明樹脂層の第二面に平行な「平坦な面」（「鏡面」に近いものを意味する。）とする必要があり、ステンレススクリーン印刷方式、凹版方式、レジスト処理方式、さらには、着色層転写方式を用い、インキとしては、透明な樹脂に、その樹脂に溶解性の高い染料を混入させるか、若しくは、透明な樹脂に、粒径の小さい顔料を混入させ、その顔料が二次凝集しないように、ボールミルや、ニーダー等を用いて、顔料を樹脂中に十分に分散させたものを用いることが好ましい。
【０１７１】
また、オフセット印刷方式や、グラビア印刷方式、シルクスクリーン方式を用いる場合には、形成時のインキの粘度調整、及び、乾燥条件の管理により、上記のような「平坦な面」を実現する必要がある。
【０１７２】
透明着色パターン層Ｂの厚さは、２．０μｍ〜２０μｍであり、その平坦性は、表面粗さＲａで、可視光の波長以下、すなわち、０．１μｍ〜０．５μｍとする。
【０１７３】
２．０μｍ未満では、安定した「色」を呈することができず、２０μｍを超えると、その断面が視認できるようになるため不都合である。
【０１７４】
また、平坦性は、０．５μｍを超えると光の散乱性が高くなり、その界面での光の反射が多くなって、その界面の視認性と、着色パターン層Ａの視認性との間に、大きな差を生じることとなるため不都合である。平坦性は、もちろん、０．１μｍ未満とすることが好ましいが、印刷方式や、レジスト処理方式等において形成する場合には、物理的な困難性を伴うものとなる。
【０１７５】
ホログラムレリーフ面は、その凹凸の形状そのものが、「３次元物体」の立体形状（位相）や、立体表面の反射強度（強度）を再現して、ホログラム再生像を結像し、その凹凸形状の精密性が、再現するホログラムの鮮明性に直結している。
【０１７６】
ホログラムは、ホログラム再生の冗長性から、ホログラムレリーフの一部を消失（ホログラム再生像が結像する方向へ光が進行しない部分を設けるという意味。）しても、その鮮明性には影響を及ぼさないという性質を持つものの、それは、不要な光の成分が加わらないことによることを意味し、例えば、その凹凸形状に変形を加えた場合は、ホログラム再生像を形成する光の位相や強度を歪めることから、その変形が僅かであっても、ホログラム再生像の鮮明性を低下させることとなる。
【０１７７】
従って、そのホログラムレリーフ面に、０．０１μｍ厚さの僅かな油等の汚れが付着したり、微細な傷や凹みがついたり、僅かであっても凹凸が歪むような圧力が加わったりすると、その鮮明性の低下を招き、その真正性の判定を不安定なものとする。
【０１７８】
このため、着色パターン層Ａをホログラムレリーフ面上に形成する際には、細心の注意が必要であり、着色パターン層Ａを設ける領域以外の凹凸面には、何らの作用も生じない方法を用いる。
【０１７９】
このことから、オフセット印刷方式や、グラビア方式は、その原理から、着色パターン層Ａ形成領域以外の凹凸面に、版胴が押し付けられ、その圧力のみならず、溶剤や湿し水が付着するという課題を有する。
【０１８０】
従って、原理的に、着色パターン層Ａを設ける領域のみに作用する方式である、ステンレススクリーン方式や、あらかじめパターン状に着色層を形成した転写シートを用いて、その着色層部分のみを転移させる着色層転写方式が好ましい。
【０１８１】
もちろん、ホログラムレリーフに使用される透明樹脂をその表面強度の大きい電離放射線硬化タイプとして、ホログラムレリーフ形成後に十分硬化させ、且つ、着色パターン層Ａを形成する際には、そのホログラムレリーフに全く影響を及ぼさない純度の高い溶剤や、純度の高い水（純水等。）を用いて、余分な付着物を後処理において除去可能とするなどの手法も好適である。
【０１８２】
着色パターン層Ａの厚さは、透明着色パターン層Ｂの厚さに対応して決められるが、少なくとも、ホログラムレリーフを埋めることが可能であって、且つ、第一面が「平坦な面」となるのに十分な厚さが必要であり、２．０μｍ〜１０μｍとする。その平坦性は、０．１μｍ〜１．０μｍとする。
【０１８３】
ホログラムレリーフの凹凸深さは、０．１μｍ〜２．０μｍであるため、その厚さは、２．０μｍ以上とし、その段差を目立たなくするため、１０μｍ以下とする。平坦性については、その面が、着色パターン層Ａの下となって目立たなくなるため、透明着色パターン層Ｂよりやや粗いものであっても、その視認性には影響しない。
【０１８４】
「パターンｂ」や、「パターンａ」そして、それらが一つとなった「パターンＣ」としては、文字、図形、記号、及びそれらの組み合わせを用いることができる。
【０１８５】
特に、ブランド、メーカー等が使用している「ロゴ」のように、互いに離間している（接していないという意味。）、複数の文字から構成されるものが好適であって、文字毎に、透明着色パターン層Ｂろ着色パターン層Ａとを繰り返し変化させても良いし、複数の文字の「一文字」のみを着色パターン層Ａとし、残りの文字を全て透明着色パターン層Ｂとするものであっても良い。
【０１８６】
これは、「視認性」の変化が、「一文字」の中の一部のみで発生し（透明着色パターン層Ｂ）、他の部分は変化しないもの（着色パターン層Ａ）とした場合の方が、その意匠性や意外性が高いためであり、また、上記したようにその判定する者が、その「変化」を判定する際に、「意図して設けられたもの」か、「単なる印刷ムラ」なのかを判別することが容易となるためであり、「一文字」全体が、「一様に変化」するか、「一様に変化しない」かを見分け易くするためである。
【０１８７】
また、透明着色パターン層Ｂ（「パターンｂ」）と、着色パターン層Ａ（「パターンａ」）とを接して形成し、それを合体したものを「パターンＣ」とすると、「パターンＣ」内に、その境界線が発生して、その境界線上で二つの領域を見比べることを可能とし、その対比を強調することが可能となり、好適である。
【０１８８】
但し、その境界線領域において、透明着色パターン層Ｂと着色パターン層Ａとが、部分的に重なった場合には、その境界線領域が別の「色」を呈し、その意匠性や意外性を損なうこととなる。
【０１８９】
さらに、透明着色パターン層Ｂ（「パターンｂ」）と、着色パターン層Ａ（「パターンａ」）の占める領域の大きさは、上記した「ロゴ」等の大きさ（例えば、ロゴを表す線の線幅が２ｍｍ。）であれば十分であるが、上記したそれぞれの層の効果を十分に引き出すためには、少なくとも、１００μｍ以上の線幅を有することが必要である。
【０１９０】
この線幅は、例えば、「文字を表す画線の内の一つの画線の幅」を意味し、これが、１００μｍ未満であると、反射面や反射性を兼ね備えた薄膜からの反射光に埋もれて、その「色」の変化を判読し難くなる。
【０１９１】
さらに、その着色透明レリーフホログラムシートのホログラムレリーフ面に、金属材料からなる全反射性薄膜層や、金属化合物材料からなる透明反射性薄膜層からなる「反射性薄膜層」をパターン状に設けて（この「反射性薄膜層」は、上記した反射面を構成する「反射性を兼ね備えた薄膜」とは異なる層であって、パターン状に設けられている、いわば、「パターン状反射性薄膜層」であって、原則として、上記した「着色パターン層Ａ」や「透明着色パターン層Ｂ」とは、観察時、異なる位置において視認されるように配置する。）、その「パターン」によって、文字、図形、記号、及びそれらの組み合わせを表すことも、その意匠性を高めるため好適である。
【０１９２】
この「パターン」を、上記した「パターンｂ」や、「パターンａ」そして、それらが一つとなった「パターンＣ」の何れかと同一としたり、その拡大縮小パターンとすることは、その意外性をも付与されさらに好適である。
【０１９３】
この「パターン」は、反射性薄膜層となる金属材料や、金属化合物材料を蒸着方法等の物理的薄膜形成方法を用いて、厚さ２０ｎｍ〜１０００ｎｍで均一に形成した後、湿式、または、乾式の部分エッチング処理を施すことにより得ることができる。
【０１９４】
ホログラム形成層を形成するには、着色透明樹脂層にあたる、透明性を有する有色の感光性樹脂材料にホログラムの干渉露光を行なって現像することによって直接的に形成することもできるが、予め作成したレリーフホログラムもしくはその複製物、またはそれらのメッキ型等を複製用型として用い、その型面を上記の樹脂材料からなる着色透明樹脂層に押し付けることにより、賦型を行なうか、もしくは、射出形成や、押し出し成型の型を上記の複製用型として用い、成形と同時に形成することも好適である。
【０１９５】
ホログラムとしては、レインボーホログラム等を用いることができる）が、「パターンＣ」や、「印刷層のデザイン」、もしくは、「パターンｄ」と同様のデザインの回折格子パターンとすることも、その意匠性や意外性を高めることができ、好適である。
【０１９６】
このレインボーホログラムや、回折格子パターンは、一つの光源からの光に対する再生方向（回折方向）が、「光」の波長成分に依存して異なり、一つの角度ではなく、比較的広い角度へと再生像が発現する（回折光が進む。）ため、安定して、「パターンｂ」や「パターンｄ」の変化を視認することができ、好適である。
【０１９７】
この第一面（ホログラムレリーフ形成面）、及び第二面にそれぞれ、着色パターン層Ａ及び、透明着色パターン層Ｂを上記したように形成し、さらに、その着色パターン層Ａ上と、その着色パターン層Ａを形成しておらずホログラムレリーフ面が露出している領域上に、それらの面形状に追従するように、「反射性を兼ね備えた薄膜」を形成することができる。
【０１９８】
この「反射性を兼ね備えた薄膜」には、アルミニウム等の金属薄膜や、ＴiＯｘ等の金属酸化物薄膜、さらには、金属窒化物薄膜を用い、真空蒸着法等の物理的形成方法、若しくは、ＣＶＤ（化合気相成長）法等により形成することができる。
【０１９９】
この「反射性を兼ね備えた薄膜」を形成した際に、着色パターン層Ａの端部に存在する「段差」（１０μｍ厚さで形成すると、１０μｍの段差となる。）が、薄膜の付着ムラや、薄膜材料の変質等により、その光反射性にムラを生じて（目立って）、透明着色パターン層Ｂの段差と、「明らかな差（視認性の差）」を生じないように、「パターンａ」領域の端部（境界領域）の５μｍ〜２０μｍに「階調（グラデーション）」を設け、且つ、同様の「階調」を「パターンｂ」の端部にも設ける等の工夫を施すことは、意匠性や意外性を高くするためにも好適である。
【０２００】
その「階調」を施す方法としては、その厚さを１０μｍ、５μｍ、１μｍと徐々に小さくするか、もしくは、厚さ１μｍの網点状として、その段差を小さくする方法が好適である。
【０２０１】
また、観察者が、「パターンｂ」領域の色と、「パターンａ」領域の色を視認する場合、単純には、「透明着色パターン層Ｂで反射する光」と、「一旦、ホログラム形成層を通過し、着色パターン層Ａで反射して、再び、ホログラム形成層を通過して戻ってくる光」とを比較するため、その色差を小さくするために、ホログラム形成層の透明性は高いことが望ましく、その透明性を示す指標である、「ヘーズ」として１０％以下とする。さらには、「ヘーズ」を１％以下とすることがより好適である。
【０２０２】
観察者は、上記の比較に加えて、着色パターン層Ａの隠ぺい性が高い場合を想定すると、
「パターンｂ」領域の色を視認する際には、「観察側から入射する光が、透明着色パターン層Ｂとホログラム形成層を通過し、反射面や反射性を兼ね備えた薄膜で反射して、再び、ホログラム形成層と透明着色パターン層Ｂを通過して戻ってくる光」を視認し、「パターンａ」領域の色を視認する際には、「観察側から入射する光が、ホログラム形成層を通過し、着色パターン層Ａで反射して、再び、ホログラム形成層を通過して戻ってくる光」とを視認して、その両者を「対比」することになるので、その色差を小さくするために、透明着色パターン層Ｂの透明性は高いことが望ましく、その透明性を示す指標である、「ヘーズ」として、１０％以下とする。より好適には、「ヘーズ」を１％以下とすることが望ましい。
【０２０３】
また、着色パターン層Ａの透明性が高い場合を想定すると、
観察者は、「パターンｂ」領域の色を視認する際には、「観察側から入射する光が、透明着色パターン層Ｂとホログラム形成層を通過し、反射面や反射性を兼ね備えた薄膜で反射して、再び、ホログラム形成層と透明着色パターン層Ｂを通過して戻ってくる光」を視認し、「パターンａ」領域の色を視認する際には、「観察側から入射する光が、「ホログラム形成層と着色パターン層Ａを通過し、反射面や反射性を兼ね備えた薄膜で反射して、再び、着色パターン層Ａとホログラム形成層を通過して戻ってくる光」とを視認して、その両者を「比較」することとなる。
【０２０４】
いずれにしても、これらの光の透過や、反射の状況に応じて、その顔料や、染料の含有量や、形成厚さを設定する。
【０２０５】
「ヘーズ」を、１０％以下に抑えるためには、
ホログラム形成層においては、ホログラム形成層となる着色透明樹脂層に「ヘーズ」が１０％以下の透明な樹脂を用い、透明着色パターン層Ｂにおいては、「ヘーズ」が５％以下の透明な樹脂を用い、その樹脂に相溶する染料を１％〜１０％添加したものを用いるか、「ヘーズ」が２％以下の透明な樹脂を用い、その樹脂に分散性の良い微粒子有機顔料若しくは、微粒子有機顔料を、１％〜５％添加したものを用いる。
【０２０６】
これにより、透明着色パターン層Ｂの視認性をより明確なものとし、その意匠性や意外性をさらに高めることができる。
【０２０７】
また、上記したように、着色パターン層Ａが透明であって、ホログラム形成層のホログラムレリーフを埋めるように形成されている場合には、そのホログラム形成層と着色パターン層Ａが形成している「界面」を、着色透明レリーフホログラムシートに入射した「光」が通過（透過）する際に、その「光」が、不要な「位相」変化や、「強度」変化を受けないことが望ましい。
【０２０８】
そのために、ホログラム形成層の屈折率と、着色パターン層Ａの屈折率を同一、若しくは、その屈折率差を０．１以下とする。
【０２０９】
その屈折率差が「０」の場合には、その「界面」そのものが存在しないように「光」が透過し、屈折率差が存在したとしても、その屈折率差が「０．１以下」の場合には、その「光」に対する不要な「位相」変化や、「強度」変化を十分に抑制することができ、着色パターン層Ａによる、ホログラムレリーフを消失させる効果をより明確なものとして、その意匠性や意外性をさらに高めることができる。
【０２１０】
ここで、透明な樹脂の屈折率は、例えば、ポリメチルメタクリレート（屈折率ｎ＝１．４９）、ポリメチルアクリレート（ｎ＝１．４７）、ポリベンジルメタクリレート（ｎ＝１．５７）、ポリブチルアクリレート（ｎ＝１．４４）、ポリイソブチルアクリレート（ｎ＝１．４８）、硝酸セルロース（ｎ＝１．５４）、メチルセルロース（ｎ＝１．５０）、セルロース・アセテートプロピオネート（ｎ＝１．４７）、ポリスチレン（ｎ＝１．６０）、ポリエチレンテレフタレート（ｎ＝１．６４）、ポリ酢酸ビニル（ｎ＝１．４７）、ポリ塩化ビニル・酢酸ビニル（ｎ＝１．５４）、メラミン樹脂（ｎ＝１．５６）、エポキシ樹脂（ｎ＝１．６１）、フェノール樹脂（ｎ＝１．６０）等であり、これらの樹脂単独、もしくは、この混合体等を適宜用いることができ、ホログラム形成層の屈折率に対して、所定の屈折率差の透明な「層」を設けることができる。
【０２１１】
また、透明な樹脂の屈折率を大きくするために、比較的屈折率の高い樹脂の高分子構造の中に、原子屈折率の高い「硫黄原子」や、塩素原子やフッ素原子等の「ハロゲン成分」、さらには、高屈折率構造を持つ「芳香環基」を分子レベルで導入する方法や、ＴｉＯｘやＺｒＯｘ等の高屈折率金属酸化物の超微粒子（平均粒径：０．０００３μｍ〜０．０３μｍ）を樹脂材料に高度に分散させる方法、さらには、高分子材料の分子構造の中に、所定の金属塩を取り込ませる方法等によって、屈折率ｎ＝１．９を超えるものとすることができる。
【０２１２】
例えば、透明な樹脂の屈折率を大きくするために添加する微粒子透明顔料や超微粒子顔料として、炭酸カルシウム、硫酸バリウム、水酸化アルミニウム、クレー、カオリン、ホワイトカーボン、アルミナホワイト、珪藻土、石膏、タルク、珪石粉等の体質顔料を細かく粉砕したものや、マイクロシリカ等の無機微粒子、シリコン樹脂やフッ素樹脂粉末等の微粒子樹脂紛体、その他、平均粒径で、０．１μｍ〜０．０１μｍとした微粒子顔料や、０．０１μｍ以下とした超微粒子顔料を使用する。
【０２１３】
また、天然に産する方解石、氷州席、アラゴナイト、石灰岩、大理石、貝殻、チョーク、重晶石、石膏、ギブス石などを微粉砕したものや、その合成物において平均粒径を調整したもの、もしくは、一般的に用いられる無機顔料、や有機顔料においても、超微粒子酸化チタンや超微粒子酸化ジルコニウム等、その平均粒径を、０．０１μｍ以下としたもの等は、適宜な樹脂材料との混合において、透明となるため、好適である。特に、顔料そのものの屈折率が２．０〜３．０であるものが好ましい。この屈折率が３．０を超えるものは、金属光沢が発現し始めるため、その透明性に欠けるものとなるため好ましくない。
【０２１４】
より具体的には、超微粒子酸化チタン（石原産業株式会社製ＴＴＯ−５５Ｎ：屈折率ｎ＝２．４）を適宜な樹脂に分散した場合に、その屈折率は、１．９〜２．０であり、また、超微粒子酸化ジルコニウム（動的光散乱法における平均粒径０．０００１μｍ〜０．０５μｍ）を適宜な樹脂に分散した場合の屈折率は、１．７〜１．９である。
【０２１５】
そして、これらの微粒子透明顔料や超微粒子顔料に基づく、顔料そのものの「着色」や、構造色としての「着色」を利用することも、高い透明性を確保でき好適である。
【０２１６】
さらに、最も受取人の注意をひくことができる、「環境対応を施した製品」とするため、窓付き封筒そのものを環境にやさしい材料で構成することで、受取人に好感をもたせるとともに、他の郵便物・配送物との差別化を図る。
【０２１７】
このために、着色透明レリーフホログラムシートを生分解プラスチックで構成する。
【０２１８】
生分解性プラスチックとは、１種類の生分解性プラスチック単独であることのみならず、１種類の生分解性プラスチックに澱粉を混ぜたもの、あるいは複数種類の生分解性プラスチックの混合物、あるいはこれらの混合物に可塑剤が添加された組成物等をも包含する。
【０２１９】
一方の面にレリーフホログラムが形成され、且つ、着色パターン層Ａ、及びＢが設けられた着色透明レリーフホログラムシートとして、透明なフィルムそのものを、ホログラムレリーフを有する「ホログラム形成層」とする方法においては、「ホログラム形成層」及び、「着色パターン層ＡとＢを構成する樹脂材料」を生分解性プラスチックとし、、
または、着色された透明基材の少なくともその一方の面に、透明な樹脂をコーティングして、ホログラムレリーフを有する「ホログラム形成層」を設けた積層体とする方法においては、その着色された透明基材とその透明な樹脂、及び、「着色パターン層ＡとＢを構成する樹脂材料」を生分解性プラスチックとする。
【０２２０】
以上のごとく、一方の面にレリーフホログラムが形成され、且つ、着色パターン層Ａ、及びＢが設けられた着色透明レリーフホログラムシートとして、窓付き封筒に設けられるシートの全てを生分解性プラスチックで構成するものとする。
【０２２１】
もちろん、この着色透明レリーフホログラムシートを窓付き封筒に貼着する接着剤も可能な限り、生分解性プラスチックとする。
【０２２２】
さらには、封筒本体を構成している封筒上紙と封筒下紙等を非木材紙から構成することも好適である。
【０２２３】
非木材紙の原料には農産廃棄物、草木類、繊維作物などが利用でき、
例えば農産廃棄物としては、さとうきびの糖汁を搾り取った後のカス（バガス）、麦わら、稲わら、パーム椰子（パーム油抽出後に廃棄される房の部分）、バナナ（収穫後の幹の部分）など、
草木類としては、竹、葦、エスパルト（北アフリカ、南スペインが主生育地で固く強い草）、雑草など、
さらには、繊維作物としてケフナ、アバカ、サイザル、ジュート、亜麻、コットンリンター、こうぞ、雁皮、みつまたなど用いることができる。
【０２２４】
この窓付き封筒を湿性の土中に埋めることで、封筒全体も分解できるようになるものである。
【０２２５】
上記したように、封筒下紙の重ね合わせ面には封筒上紙の窓部に対応する位置に宛名部が設けられているとともに、封着部分に囲まれた内部領域であってその窓部に対応しない位置に情報記録部が設けられているが、この宛名部と情報記録部とは、大豆油を溶剤として含有する大豆油インキを用いて所要な情報、罫線、図柄など、印刷すべき事項や、地紋等が印刷されており、また、封筒上紙の外表面（封筒本体としての外面）には郵便料金前納表示マーク等が印刷されていて、これらの印刷を大豆油インキにて印刷形成することがまた好適である。
【０２２６】
さらに封筒上紙のマーク以外の領域と封筒下紙の外表面（封筒本体としての外面）にも必要に応じて印刷すべき事項を設けることができ、その場合にも大豆油インキを用いて印刷することができる。
【０２２７】
この印刷に際して、大豆油インキはインキ皮膜の硬度が高いので、耐熱性、耐摩擦性に優れ、印字装置の搬送部やトナー定着部（ノンインパクトプリンタの場合）、印字ヘッド（感熱プリンタの場合）へのインキの付着による汚れが生じ難く、この汚れに伴う封筒側への転移も生じないようになり、連続して大量の印字動作が可能となる。
【０２２８】
従って、使用後の窓付き封筒は、土壌中あるいは堆肥中に廃棄することで加水分解あるいは／および微生物により炭酸ガスと水に分解され、ゴミとして自然界に残留することがなく、景観悪化や環境破壊が抑制される。また、窓付き封筒や、その印刷インキのみが生分解性プラスチックで、着色透明レリーフホログラムシートが通常の透明な樹脂（もしくは、着色された透明基材上に透明な樹脂を設けた積層体。）にて形成されていれば、窓付き封筒から個々に、着色透明レリーフホログラムシートを剥がして分別処理しなければならないが、本発明ではそのような手間もかからないので、窓付き封筒の回収、処理が容易である。
【０２２９】
本発明において、生分解性プラスチックとして、
脂肪族ポリエステル系の生分解性プラスチックが使用され得る。
脂肪族ポリエステル系の生分解性プラスチックとしては、ラクトン系樹脂あるいはポリブチレンサクシネート系樹脂あるいはポリ乳酸系樹脂、ポリブチレンサクシネート／テレフタレート共重合体を挙げることができる。
【０２３０】
ラクトン系樹脂とポリブチレンサクシネート系樹脂と生分解性の可塑剤との混合物、またはポリ乳酸系樹脂と生分解性の可塑剤との混合物、またはポリ乳酸系樹脂と澱粉との混合物、あるいは変性ポリビニルアルコールと澱粉と脂肪族ポリエステル系樹脂との混合物から形成されてなるものが好ましく、それによって押出成形が容易で、使用時の物性、廃棄後の生化学的分解性等においてバランスがとれた着色透明レリーフホログラムシートを提供することができる。
【０２３１】
ラクトン系樹脂は、生分解性であり、具体的には、ε−カプロラクトン、４−メチルカプロラクトン、３，５，５−トリメチルカプロラクトン、３，３，５−トリメチルカプロラクトン、β−プロピオラクトン、γ−ブチロラクトン、δ−バレロラクトン、エナントラクトンの単独重合体またはこれら２種以上のモノマーの共重合体、これらの単独または共重合体の混合物が挙げられる。これらの重合体または共重合体は、常温で軟化しないものが好ましく、この観点から、高分子量であって融点が６０℃以上で、安定した性質を有するものが適当である。中でも、数平均分子量が１０，０００〜２００，０００程度のポリカプロラクトンが好ましい。以下、単に脂肪族ポリエステル系樹脂と呼ぶ場合は、ラクトン系樹脂以外の脂肪族ポリエステル樹脂を意味するものとする。
【０２３２】
また、脂肪族ポリエステル樹脂は、例えば、ポリ乳酸、ポリエチレンサクシネート、ポリブチレンサクシネート等の生分解性のポリエステル樹脂（ポリブチレンサクシネート系樹脂としては、昭和高分子株式会社のビオノーレに代表される低分子量脂肪族ジカルボン酸と低分子量脂肪族ジオールより合成されるポリエステル樹脂を例示することができる）、特開平９−２３５３６０号、同９−２３３９５６号公報記載の三元共重合体の脂肪族ポリエステル、特開平７−１７７８２６号公報記載の乳酸とヒドロキシカルボン酸との共重合体、また、特開平１１−２７５９８７号公報記載のε−カプロラクトンとε−カプロラクタムより合成されるポリアミドエステル樹脂、ポリアミノ酸樹脂等が挙げられる。
【０２３３】
なお、脂肪族ポリエステル樹脂は、特開平９−６７５１３号公報記載の低分子量の脂肪族ポリエステルに脂肪族イソシアネートを添加、反応させてウレタン結合により高分子量化したものでもよい。脂肪族ジイソシアネート化合物としては、ヘキサメチレンジイソシアネート、リジンジイソシアネートメチルエステル｛ＯＣＮ‐（ＣＨ２）４‐ＣＨ（‐ＮＣＯ）（‐ＣＯＯＣＨ３）｝、トリメチルヘキサメチレンジイソシアネート等が挙げられ、中でもヘキサメチレンジイソシアネートが好ましい。ウレタン結合を含む脂肪族ポリエステル樹脂は、数平均分子量が２０，０００以上のものが好ましい。また、特開平９−６７５１３号公報に記載されているようなコハク酸と１，４−ブタンジオールとから得られるポリエステル樹脂、コハク酸とエチレングリコールとから得られるポリエステル樹脂、シュウ酸とネオペンチルグリコールとから得られるポリエステル樹脂、シュウ酸と１，４−ブタンジオールとから得られるポリエステル樹脂、シュウ酸とエチレングリコールとから得られるポリエステル樹脂等が例示できる。これらの脂肪族ポリエステル樹脂としては、ＧＰＣによる標準ポリスチレン換算で数平均分子量が２０，０００以上２００，０００以下、好ましくは４０，０００以上２００，０００以下のものが使用できる。
【０２３４】
生分解性可塑剤としては、例えば、グリセリンジアセトモノラウレート、グリセリンジアセトモノオレート、グリセリンモノアセトモノステアレート等のグリセリン脂肪酸エステルを単独または組み合わせて、好適に使用することができる。また、この可塑剤に加えて、生分解性を有する滑剤を使用してもよい。そのような滑剤としては、例えば、ステアリン酸、ラウリン酸等の高級脂肪酸等の単独または混合物が挙げられる。
【０２３５】
生分解性プラスチックとしては、ラクトン系樹脂とポリブチレンサクシネート系樹脂との混合物に対して、可塑剤を、２〜２０／１０５〜１５０程度、さらに２〜１２／１０５〜１５０程度、２〜８／１０５〜１５０程度の重量比で添加することがネット成形時の安定性や成形されたネット袋体の柔らかさにおいて好ましい。また、ラクトン系樹脂とポリブチレンサクシネート系樹脂は、５〜５０：１００程度の重量比が適当である。したがって、本発明の生分解性プラスチック（組成物）においては、ラクトン系樹脂：ポリブチレンサクシネート系樹脂：可塑剤が５〜５０：１００：２〜２０程度の重量比で混合されていることが好ましい。
【０２３６】
さらに、着色透明レリーフホログラムシート等に用いられる生分解プラスチックは、低温処理に適するものもより好適であって、
化学合成系として、ラクトン系樹脂：εーカプロラクトン、４−メチルカプロラクトン、３，３，５−トリメチルカプロラクトン、βープロピオラクトン、γーブチロラクトン、δーバレロラクトン、エナントラクトンの単独重合体またはこれら2種以上のモノマーの共重合体、これらの混合物融点６０℃〜１００℃、ポリカプロラクトン（融点６０℃）、もしくは、ポリブチレンサクシネート系樹脂：ポリブチレンサクシネート・アジペート（融点９５℃）、ポリブチレンサクシネートとポリカプロラクトンとの混合物（融点６５℃〜１１０℃）、ポリブチレンサクシネートとポリブチレンサクシネート・アジペートとの混合物（融点９５℃〜１１０℃）、ポリブチレンサクシネート・アジペートとポリ乳酸との混合物（融点９５℃〜１１０℃）、もしくは、ポリ乳酸、ポリ乳酸とＤ−乳酸との混合物などにおいて融点が５５℃〜１１０℃のもの、もしくは、低分子量脂肪族ジカルボン酸と低分子量脂肪族ジオールより合成したポリエステル樹脂、例えばコハク酸とブタンジオール、エチレングリコールとの組み合わせや、シュウ酸とネオペンチルグリコール、ブタンジオール、エチレングリコールとの組み合わせなど、変性ポリビニルアルコールと脂肪族ポリエステル樹脂と澱粉の混合物、低分子量脂肪族ポリエステルに脂肪族イソシアネートを添加して重合させたものなどの中で、融点が５５℃〜１１０℃のものが好適である。
【０２３７】
また、天然物系として、ゼラチンなどの動物性天然物質、セルロースなどの植物性天然物質など：澱粉脂肪酸エステル、澱粉キトナン・セルロースなど、微生物生産系として、ポリヒドロキシブチレートや、ポリエステル系：炭素源として３−ヒドロキシプロピオン酸、４−ヒドロキシ酪酸、γ―ブチロラクトンをベースとするＰ（３ＨＢ−ＣＯ―４ＨＢ）、炭素源としてプロピオン酸、吉草酸をベースとしたＰ（３ＨＢ−ＣＯ―３ＨＶ）などの中で融点が比較的低いものが好適である。
【０２３８】
これらの生分解プラスチックは、ポリ乳酸（融点１８０℃）、ポリブチレンサクシネート・テレフタレート共重合体（融点１９０℃）、分子量が数十万を越えるポリエステル系樹脂（融点１６０℃以上）、菌体内にポリ（３−ヒドロキシ酪酸）ホモポリマーを顆粒状態で蓄積しこれを取り出した高結晶性ポリエステル（融点１８０℃）などより生分解性に優れるという特徴を有する。
【０２３９】
着色透明レリーフホログラムシート等に用いられる生分解プラスチックの層構成、やそれぞれの厚さは、上記した厚さと同様とする。但し、透明性が若干劣る場合には、その範囲の内、より薄いものを用いる。
【０２４０】
但し、その厚さが小さいと、熱処理による歪み、変形の影響を受けやすくなるため、また、環境に配慮して使用材料を削減するためにも、エネルギー使用量を低減するためにも、ホログラム形成層や、その上のホログラムレリーフを形成する際、また、着色パターン層ＡやＢを設ける際にも、より低温処理とすることがさらに望ましい。そのため、上記材料や、処理方法のうち、可能な限り、低温処理可能な材料や、処理方法を採用することが好適である。
【０２４１】
本発明の着色透明レリーフホログラムシートを、窓フィルムとして設けた窓付き封筒を蛍光灯下で観察したところ、その着色透明レリーフホログラムシートのホログラム再生像が発現しない方向においては、透明着色パターン層Ｂの領域である「パターンｂ」も、着色パターン層Ａの領域である「パターンａ」も、同一の「色」に見え、一つの「色」からなる「一つのパターンＣ」として認識できた。
【０２４２】
さらに、その窓付き封筒の透明な窓以外の部分に設けた「印刷層」も、また、それらの部分以外の部分に設けたホログラム形成部が有する「着色パターン層Ｄ」もそのホログラム層のホログラム再生像が発現しない方向においては、その「色」と同一の「色」に見えた。
【０２４３】
この窓付き封筒を、すなわち、着色透明レリーフホログラムシートを、その着色透明レリーフホログラムシート面内において、所定角度回転させ、且つ、観察する方向を所定の方向へと少し変えたところ、その着色透明レリーフホログラムシートのホログラム再生像が発現する方向となり、「パターンｂ」のみ「色」に変化が生じて、その「対比」を容易に視認することができた。
【発明の効果】
【０２４４】
本発明によれば、窓付き封筒において、大きい領域を確保可能な、宛名等に割り当てられた「窓」部に、すなわち、受取人が本人なのか若しくは家族等であるのかを確認するため、必ず視認する宛名用窓部に、その下にある宛名等の印字を目視にて十分視認でき、及び／または、郵便区分け機等の光学的機械読み取りに支障なく認識可能である、着色パターン層Ａ及びＢを有する着色透明レリーフホログラムシートを設けることにより、封筒上に所定の色の印刷層を設けることにより、また、封筒上にホログラム形成部を設けることにより、さらには、パターン状の反射性薄膜層による表示により、封筒における所定の一つの位置に十分な大きさを確保でき、且つ、顧客の注意を十分に喚起して、その開封率を向上し、さらに、量産性に優れる、窓付き封筒を提供することができる。
【０２４５】
また、これらの窓付きフィルムを生分解性プラスチックで構成することにより、環境負荷を低減可能なこともアピールし、窓付きフィルムを剥して観賞用に保管する等の行為を促進し、より開封率を向上できる窓付き封筒を提供することができる。
【図面の簡単な説明】
【０２４６】
【図１】本発明の一実施例を示す窓付き封筒の加工中の図である。
【図２】本発明の一実施例を示す窓付き封筒（封緘前）である。
【図３】本発明の別の実施例を示す窓付き封筒である。
【図４】本発明の一実施例に用いられる着色透明レリーフホログラムシート            の断面図を示す図（その第一面にホログラムレリーフ、及び、その            ホログラムレリーフを埋めるように着色パターン層Ａが形成され、            その第二面には、透明着色パターン層Ｂが形成されている例。）で            ある。
【図５】本発明の一実施例に用いられる別の着色透明レリーフホログラムシ            ートの断面図を示す図（その第一面にホログラムレリーフ、及び、            そのホログラムレリーフを埋めるように着色パターン層Ａが形成さ            れ、その第二面には、透明着色パターン層Ｂ、及びパターン状の反            射性薄膜層が形成されている例。）である。
【発明を実施するための形態】
【０２４７】
以下、本発明の実施形態について、図面を参照しながら、詳細に説明する。
（窓付き封筒、封筒本体）
本発明の窓付き封筒１は、上記したように、種々の製袋機を用いて、加工可能であるが、その一例としては、封筒本体２の窓部３に、着色透明レリーフホログラムシート４（この透明レリーフホログラムシート４の断面図を表す場合には、図４または、図５に示すように、「透明ホログラムシートＨ」または、「透明ホログラムシートＨ´」と称す。）を上記した適宜な接着剤（図示せず。）を用いて、貼着したものとする。（図１〜図４参照。）
但し、この接着剤は、一般的な粘着剤や接着剤を用いることができるが、特に、「再剥離性」を有することが好ましい。
【０２４８】
接着剤には、エポキシ・変成シリコーン樹脂系等の弾性系接着剤、熱可塑性樹脂系接着剤、オレフィン樹脂系、ＥＶＡ系などのホットメルト系接着剤、酢酸ビニル系、ＥＶＡ系、アクリル系などのエマルジョン系接着剤、エラストマー系接着剤、熱硬化性樹脂系接着剤、アルキル-α-シアノアクリレート系等の瞬間系接着剤、粘着・接着形接着剤、ゴム系接着剤、一液形接着剤、二液混合形接着剤、エポキシ樹脂系接着剤、反応形アクリル系接着剤、ポリウレタン系接着剤、塩化ビニル・酢酸ビニル系、ウレタン系、ポリエステル系、ニトロセルロース系などの樹脂系溶剤形接着剤、クロロプレンゴム系、ニトリルゴム系、ＳＢＲゴム系などのゴム系溶剤形接着剤、エポキシ変性、ポリビニルアセタール変性、ニトリルゴム変性などのフェノール樹脂、ポリ乳酸系接着剤（環境配慮）、さらには、再湿接着剤（水分を加えることで接着性を復活させるもの）等を用いることができる。
【０２４９】
粘着剤には、天然ゴム系、合成ゴム系、熱可塑性エラストマー系などのゴム系粘着剤、溶剤型アクリル系、エマルション型アクリル系、、液状紫外線硬化型、電子線硬化型などのアクリル系粘着剤、過酸化物硬化型シリコーン系、付加型シリコーン系などのシリコーン系粘着剤、ポリウレタン系粘着剤、ポリエステル系粘着剤等に、適宜、ロジン系、テルペン系、石油樹脂系などの粘着付与剤を添加したものや、これらのエマルション型やホットメルト型等、さらに、再剥離型アクリル系粘着剤、微粘着型シリコーン系粘着剤、ポリ乳酸系粘着剤（環境配慮）、さらには、再湿粘着剤（水分を加えることで粘着性を復活させるもの）等を用いることができる。
【０２５０】
また、これらの混合系を用いることができ、さらに、種々の添加剤、すなわち、マイクロシリカ、炭酸カルシウム等の体質顔料など、種々の通常用いられる添加剤も用いることができ、本発明においても、用途に応じ、これらを適宜入れ替えたり、混合したりして用いることができる。
【０２５１】
これらは、処理する方法により、例えば、圧力を掛けて処理する場合には、感圧接着剤・粘着剤と呼ばれ、加熱処理する場合には、感熱接着剤・粘着剤と呼ばれる。
【０２５２】
その形成厚さは、「紙」の上に適用する場合は、「紙」への浸透を考慮し、３μｍ〜１０μｍの厚さで、「フィルム」の上に適用する場合には、その浸透がないため、薄くすることができ、０．５μｍ〜３μｍの厚さで形成する。
【０２５３】
もちろん、これら材料をパターン印刷処理する代わりに、適宜な幅の両面テープを適用して接着（粘着）させることも好適である。特に、受取人に封緘処理をさせる場合などは、その封緘部分に両面テープを剥離紙を残したまま適用する。（再湿接着剤や再湿粘着剤も用いうる。）
一般的には、封筒上紙の開口部の開口位置から数ｍｍの位置に、幅１ｍｍ程度で、厚さ５μｍ程度のパターン状に形成され、着色透明レリーフホログラムシート４をその上に載せた後、着色透明レリーフホログラムシート４全体に圧力を掛け、接着剤形成部にて圧着されることで、着色透明レリーフホログラムシート４を固定する。（図３参照。接着剤形成部は図示せず。）
このとき、ホログラムレリーフ形成面（図４または図５においては、「透明レリーフホログラムシートのホログラムレリーフ」１４の面。以下、略して、「ホログラムレリーフ１４面」とも称す。）は、表側にあっても、裏側（封筒内部側）にあってもよいが、開封率を向上させるために、ホログラムレリーフ深さを調節する場合は、裏側を向いていた方が設計が容易である。その上、郵送、乃至は、配送される際にそのホログラムレリーフ１４面が他の郵便物や、配送物等と接触しないため、損傷を受けにくいという利点を有する。
【０２５４】
特に、本発明の着色透明レリーフホログラムシート４における、着色パターン層Ａと着色パターン層Ｂの設計については、そのホログラムレリーフ形成面が、裏側（封筒内部側）にあるものとして詳述している。
【０２５５】
もちろん、そのホログラム形成面を表側としても、同様の原理に基づいて、それぞれ、着色パターン層Ａや着色パターン層Ｂの材料組成や厚さ等を設計することができることは言うまでもなく、その場合においても、ホログラムレリーフ１４のホログラム再生像によって、その「色」に変化を生じるのは、着色パターン層Ａである。
【０２５６】
封筒本体２は、封筒上紙５と、封筒上紙６とを製袋処理ユニットをセットした、一般的なフォーム印刷機等を用いて、上記した適宜な接着剤から選択した、封筒製袋用の接着剤１１により製袋され、バースト処理されて、個々の封筒となる。封筒上紙５には、必要に応じ所定のマーク１０（郵便マーク等）が印刷されている。
【０２５７】
封筒本体２、封筒上紙５と、封筒上紙６には、その用途の応じ、封筒に用いられる紙、若しくは板紙は、一般的には、印刷用紙・情報用紙、包装用紙、雑種紙、若しくは、段ボール原紙、紙器用板紙等を適宜選択し用いる。その厚さは、用途により適宜選択するが、例えば、連量が４５ｋｇ／四六判（メートル坪量５２．３ｇ／ｍ２）〜１８０ｋｇ／四六判（メートル坪量２０９．３ｇ／ｍ２）の上質紙等を用いる。
【０２５８】
この個々の封筒本体２には、一般的な封入・封緘機を用いて、別途準備した、所定の位置に印字された宛名部８や、その他の部分に印字された情報記録部９をその表面に持つ、書面等１２からなる封入物が挿入され、封緘されて、郵便物もしくは配送物となって、郵便配達乃至は、宅配配送される。郵便物の場合には、郵便法及び郵便規則に準拠して、材料選択及び加工処理される。（図１〜図３参照。）
製袋加工時や、封入・封緘時に貼着されている着色透明レリーフホログラムシート４のホログラムレリーフ１４面や、着色パターン層Ａが損傷を受けないよう配慮することが必要である。もちろん、その反対面、または着色パターン層Ｂが傷ついた場合にも、その透明性や外観が劣化するため、いずれの面も擦り傷等の損傷を受けないよう十分な配慮が必要となる。
（着色透明レリーフホログラムシート、ホログラム形成層、着色パターン層Ａ、着色パターン層Ｂ、着色された透明基材、及びパターン状に設けられた反射性薄膜層）
着色透明レリーフホログラムシート４（以下、着色透明レリーフホログラムシートＨまたは、着色透明レリーフホログラムシートＨ´とも称す。）に用いる「着色透明樹脂層」は、「着色透明レリーフホログラムシートＨまたはＨ´を構成する着色されたホログラム形成層」（以下、略して「ホログラム形成層１３」とも称す。）単独構成、もしくは、「着色透明レリーフホログラムシートＨまたはＨ´を構成する着色された透明基材」（以下、略して「透明基材」とも称す。）と、ホログラム形成層１３との２層（図示せず。）、そのホログラムレリーフ１４面にパターン状反射性薄膜層を設けたもの（図５参照。）、さらには、それらのホログラムレリーフ１４に追従するように設ける金属化合物材料からなる反射性を兼ね備えた薄膜（図示せず。）や、その上にさらに適宜な透明性を有する樹脂からなる保護層（図示せず。）や、透明基材のホログラム形成層１３とは反対の面に、耐擦傷性の離型処理層（図示せず。）等を設けたものを用いることができる。それぞれの層は一般的に用いられる方法を用いて、適宜な厚さに形成される。そして、「着色透明樹脂層」の第一面にホログラムレリーフ１４を有し（これがホログラム形成層１３となる。）、そのホログラムレリーフ１４の一部を覆うように「着色パターン層Ａ」１５が設けられ、さらに、「着色透明樹脂層」の第二面に、「透明着色パターン層Ｂ」１６が設けられている。（図４参照。）
ホログラム形成層１３は、着色された透明な樹脂材料または、着色された透明な樹脂フィルムで構成される。
【０２５９】
その透明な樹脂材料または、樹脂フィルムとしては、各種の熱可塑性樹脂、熱硬化性樹脂、もしくは電離放射線硬化性樹脂を用いることができる。熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等が挙げられる。
【０２６０】
これらの熱可塑性樹脂および熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【０２６１】
また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
【０２６２】
さらに、環境に配慮して、上記した生分解プラスチックをホログラム形成層１３として用いることができる。
【０２６３】
そして、これらの樹脂材料に、顔料は染料を１％〜２０％添加したものを用いることができ、好適には、３％〜１０％添加する。
【０２６４】
その顔料としては、フタロシアニン系顔料として、アゾ系顔料として、溶性アゾ顔料、不溶性アゾ顔料、不溶性多環式顔料、不溶性レーキ顔料などの有機顔料や、複合酸化物系顔料、微粒子複合酸化物系顔料、紺青、ハイブリッド型顔料等の無機顔料を使用することができる。
【０２６５】
顔料の粒径は、０．０１〜０．１μｍのもの（微粒子顔料）や、０．０００３μｍ〜０．０３μｍのもの（超微粒子顔料）とする。但し、この粒径のものは、二次凝集しやすく、再分散処理等を施した後にシートやフィルムとする必要がある。
【０２６６】
また、染料としては、天然染料、及び合成染料、直接染料、酸性染料、塩基性染料、カチオン染料、媒染染料、酸性媒染染料、硫化染料、建染染料、ナフトール染料、分散染料、反応染料等を用いることができる。
【０２６７】
これら染料を、相溶性の高い透明樹脂に溶解させることで、鮮明な色相と、高い透明性を得ることができるため、その添加量は、１％〜２０％とする。また、染料系を用いた場合は、顔料系よりも形成時のレンズベリング性や、表面平滑性に優れるため、より「平坦な面」を実現することができる。
【０２６８】
上記の樹脂材料を用いてホログラム形成層１３を形成するには、直接的に形成することもできるが、複製用型を用い、賦型を行なうこともできる。
【０２６９】
熱硬化性樹脂や電離放射線硬化性樹脂を用いる場合には、型面に未硬化の樹脂を密着させたまま、加熱もしくは電離放射線照射により、硬化を行わせ、硬化後に剥離することによって、硬化した透明な樹脂材料からなる層の片面にレリーフホログラムの微細凹凸を形成することができる。なお、同様な方法によりパターン状に形成して模様状とした回折格子を有する回折格子形成層も光回折構造として使用できる。
【０２７０】
若しくは、押出成形法、ブロー成形法、真空成形法、カレンダー加工法等の各種成形方法により、樹脂を成形すると同時にホログラムレリーフ１４を形成して、ホログラム形成層１３とすることもできる。
【０２７１】
ホログラムは、レーザ再生ホログラム、白色光再生ホログラム、さらに、それらの原理を利用したカラーホログラム、コンピュータジェネレーティッドホログラム（ＣＧＨ）、ホログラフィック回折格子、複合回折格子で構成されるホログラムや、マシンリーダブルホログラムなどを用いることができる。
【０２７２】
本発明において、「ホログラム」を鑑賞用とし、「開封率向上」をその目的として設けているが、その窓付き封筒が信頼できる送付人から送られてきたことを示すという、いわゆる、「真正性判定機能」を併せ持つことも好適である。例えば、送付人が窓付き封筒を送付した後、受け取り人が、その中にある申込書等に所定の個人情報等を記入して、同封されている返信用封筒をその送付人に送付する際に、その申込書が正しい送付人に送付されるものであることを保証するような目的で使われることも好適である。
【０２７３】
但し、宛名情報等を光学的に認識する場合には、上述したように、所定の条件を満足したホログラムとすることが必要である。
【０２７４】
凹凸のピッチ（周期）は、通常０．１μｍ〜数μｍであり、凹凸の深さは、通常０．１μｍ〜１μｍである。
【０２７５】
単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、画像の個々の点が焦点に収束するものは、その焦点への収束精度が向上し、再現もしくは再生画像が鮮明となる。
【０２７６】
レリーフ形状を賦形（複製ともいう）する方法は、回折格子や干渉縞が凹凸の形で記録された原版をプレス型（スタンパという）として用い、上記ホログラム形成層１３上に、その原版を重ねて加熱ロールなどの適宜手段により、両者を加熱圧着することにより、原版の凹凸模様を複製し、ホログラムレリーフ１４とすることができる。形成するホログラムパターンは単独でも、複数でもよい。
【０２７７】
上記の極微細な形状を精密に再現するため、また、複製後の熱収縮などの歪みや変形を最小とするため、原版は金属を使用し、低温・高圧下で複製を行う。
【０２７８】
従って、生分解性プラスチックも、低温処理の可能なもの、すなわち、その融点が低いものが好ましく、その融点が１１０℃以下のものは特に好ましい。
【０２７９】
原版は、Ｎｉなどの硬度の高い金属を用いる。光学的撮影もしくは、電子線描画などにより形成したガラスマスターなどの表面にＣｒ、Ｎｉ薄膜を真空蒸着法、スパッタリングなどにより５〜５０ｎｍ形成後、Ｎｉなどを電着法（電気めっき、無電解めっき、さらには複合めっきなど）により５０〜１０００μｍ形成した後、金属を剥離することで作ることができる。
【０２８０】
高圧回転式の複製に用いるためには、このＮｉ層の厚み精度を高くする必要があり、通常±１０μｍ、好ましくは、±１μｍとする。このため、裏面の研磨や、平坦化方法を用いてもよい。
【０２８１】
複製方式は、高圧とするため、平板式でなく、回転式を用い、線圧０．１トン／ｍ〜１０トン／ｍ、好ましくは、５トン／ｍ以上とする。複製用シリンダーは、その直径が小さいとレリーフの再現性が低下するため、複製シリンダー直径は大きい方が好ましく、通常、直径０．１ｍ〜２．０ｍ、好ましくは、１．０ｍ以上の弧を使用する。
【０２８２】
例えば、適宜な「着色された透明基材」上に設けたホログラム形成層１３をこの複製用シリンダーに沿って押し当て、裏面より（「着色された透明基材」側から）金属製シリンダーにより上記圧力にて複製を実施する。複製後の熱収縮などの歪みや変形を最小限とするためには、「着色された透明基材」全体を加熱するのではなく、ホログラム形成層１３面側の一部のみを加熱する方法が望ましい。通常６０℃〜１１０℃に加熱する。さらには、裏面の金属製シリンダーを常温に保つ、もしくは冷却することで、さらにその精度を向上させることができる。
【０２８３】
「着色された透明基材」は、厚みを薄くすることが可能であって、機械的強度や、着色透明レリーフホログラムシートＨ、または、Ｈ´を製造する際の処理や加工に適した耐溶剤性および耐熱性を有するものが好ましい。使用目的にもよるので、限定されるものではないが、フィルム状もしくはシート状のプラスチックが好ましい。
【０２８４】
例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種の着色プラスチックフィルムを例示することができる。
【０２８５】
さらに、環境に配慮して、上記した生分解プラスチックを着色した透明な基材として用いることも好適である。
【０２８６】
本発明の着色透明レリーフホログラムシートＨ、または、Ｈ´では、着色透明樹脂層の第一面にホログラムレリーフ１４が設けられたホログラム形成層１３の、そのホログラムレリーフ１４を埋めるように「着色パターン層Ａ」１５を形成し、そして、その着色透明樹脂層の第二面に「透明着色パターン層Ｂ」１６を形成する。（図４及び図５参照。）
「透明着色パターン層Ｂ」１６に用いられる顔料としては、
有機顔料として、キナクリドン系レッド・マゼンタ、アンスラキノン系レッド・イエロー、ポリアゾ系イエロー、ベンズイミダゾロン系イエロー・オレンジ、フタロシアニン系顔料として、銅フタロシアニンブルー（α型、β型）、銅フタロシアニングリーン、異種金属フタロシアニンブルー、スレン系ブルー、アゾ系顔料として、溶性アゾ顔料（カーミン６Ｂ、パーマネントレッド２Ｂ他）、不溶性アゾ顔料（ジスアゾ系、モノアゾ系他）、不溶性多環式顔料（赤：キナクリドン、ペリレン、ジケトピロロピロール、橙：ペリノン、ペリレン、ジケトピロロピロール、黄：キノフタロン、イソインドリノン、緑：フタロシアニン、青：フタロシアニン、インダンスレン、紫：ジオキサジン他）、不溶性レーキ顔料（赤：レーキレッドＣ、ウォチュングレッド他）などがある。
【０２８７】
特に、不溶性アゾ顔料、不溶性多環式顔料、不溶性レーキ顔料は、着色力が強く、鮮明な色相を有し、透明性が高いため好適である。
【０２８８】
無機顔料としては、複合酸化物系顔料、微粒子複合酸化物系顔料、紺青、ハイブリッド型顔料等があるが、さらに、弁柄、モリブデンレッド、HYPERLINK "http://100.yahoo.co.jp/detail/%E3%82%AB%E3%83%89%E3%83%9F%E3%82%A6%E3%83%A0%E3%83%AC%E3%83%83%E3%83%89/" カドミウムレッド、HYPERLINK "http://100.yahoo.co.jp/detail/%E9%89%9B%E4%B8%B9/" 鉛丹（以上、赤色。）、黄鉛（HYPERLINK "http://100.yahoo.co.jp/detail/%E8%B5%A4%E5%8F%A3/" 赤口）、モリブデンオレンヂ（橙色）、カドミウムオレンジ（橙色）、群青（ウルトラマリンブルー）、紺青（プルシアンブルー）、コバルトブルー、セルリアン、マンガン青（以上、青色。）、アンバー（茶色。）、黄鉛、カドミウムイエロー、チタン黄、黄色酸化鉄（以上、黄色。）、酸化クロム、コバルトグリーン、ビリジアン、ピーコック（以上、緑色。）、マルス紫、コバルトバイオレット、マンガンバイオレット（以上、紫色。）その他、体質顔料、金属粉顔料等が用いられる。
【０２８９】
顔料の粒径は、「透明着色パターン層Ｂ」１６の透明性を確保するため、０．０１〜０．１μｍのもの（微粒子顔料）とする。但し、この粒径のものは、二次凝集しやすく、再分散処理等を施す必要がある。添加量は、用いる形成方法において、形成する厚さとのバランスで決められるが、通常１％〜２０％添加が好適であり、適宜な溶剤または水に溶かして、２〜２０μｍ厚さに形成する。
【０２９０】
形成方法は、「透明着色パターン層Ｂ」１６の平坦性を、表面粗さＲａで、０．１μｍ〜０．５μｍとするため、ステンレススクリーン印刷方式、凹版方式、レジスト処理方式、さらには、着色層転写方式が好ましい。
【０２９１】
さらに、「透明着色パターン層Ｂ」１６の「ヘーズ」を、１０％以下に抑えるためには、「ヘーズ」が２％以下の透明な樹脂を用い、その樹脂に分散性の良い微粒子有機顔料若しくは、微粒子有機顔料を、１％〜５％添加したものを用いる。
【０２９２】
アクリル樹脂（ヘーズ２％以下）、ポリカーボネート樹脂（同２％以下）等に、上記微粒子顔料を１％〜５％添加し、ホログラム形成層１３に対する溶解性の小さい溶剤系を用いて、固形分３０％〜５０％として形成する。
【０２９３】
このとき、溶剤系に乾燥速度の比較的遅いもの（沸点１００°以上、好ましくは、沸点１３０°以上のもの。）を溶剤成分の１０％〜２０％混入させ、その乾燥中に、「透明着色パターン層Ｂ」１６の最表面のレベリングを促進することも好適である。
【０２９４】
「透明着色パターン層Ｂ」１６に用いられる染料としては、天然染料、及び合成染料があり、ダイレクトレッド２、ダイレクトレッド２８（コンゴレッド）などの直接染料、オレンジ２などの酸性染料、メチレンブルーなどの塩基性染料、カチオン染料、アリザリンなどの媒染染料、モーダントブラック３などの酸性媒染染料、硫化染料、インディゴなどの建染染料、ナフトール染料、ディスパースイエロー７、ディスパースオレンジ３、ディスパースレッド１７、１、４−ジアミノアンスラキノンなどの分散染料、レアクティブレッド１などの反応染料等を用いることができる。
【０２９５】
これら染料を、相溶性の高い透明樹脂に溶解させることで、鮮明な色相と、高い透明性を得ることができるため、その添加量は、１％〜３０％とする。また、染料系を用いた場合は、顔料系よりも形成時のレンズベリング性や、表面平滑性に優れるため、より「平坦な面」を実現することができる。
【０２９６】
固形分及び、形成方法は顔料系と同様である。
【０２９７】
さらに、「透明着色パターン層Ｂ」１６の「ヘーズ」を、１０％以下に抑えるためには、「ヘーズ」が５％以下の透明な樹脂を用い、その樹脂に相溶する染料を１％〜１０％添加したものを用いる。
【０２９８】
また、「透明着色パターン層Ｂ」１６に使用される樹脂は、アクリル系樹脂、ポリエステル系樹脂、ポリウレタン系樹脂、塩化ビニル系樹脂、酢酸ビニル系樹脂、塩化ビニル−酢酸ビニル共重合体樹脂、ポリアミド系樹脂、メラミン樹脂、フェノール樹脂などが挙げられ、ホログラム形成層１３との接着性の良好なもの、顔料や染料の分散性・相溶性の良いものが使用できる。
【０２９９】
さらに、これらの顔料や、染料に加えて、「色」を調整するため、粒径０．１μｍ〜１．０μｍの炭酸カルシウム等の透明体質顔料や、透明性を有しながら光散乱性を有するシリコンパウダー等の高屈折率透明樹脂粒子を使用することもできる。
【０３００】
これら体質顔料や、透明樹脂粒子は、「透明着色パターン層Ｂ」１６の光透過性を抑制する効果を持ち、その添加量は、固形分比１％〜１０％とする。１％未満では、添加した効果が表れず、１０％を超えると、インキとしてのレベリング性や、分散性に悪影響を及ぼすことになる。
【０３０１】
「着色パターン層Ａ」１５用いられる樹脂、顔料、及び染料としては、上記したものにおいて、ホログラム形成層１３との接着性の良好なもの、顔料や染料の分散性・相溶性の良いものが使用でき、「透明着色パターン層Ｂ」１６と同様の透明性を付与する場合には、その配合も「透明着色パターン層Ｂ」１６と同様とするが、「透明着色パターン層Ｂ」１６とは異なり、隠ぺい性を付与する場合には、隠ぺい性に優れるチタン白、鉛白等の顔料を用いることになる。
【０３０２】
また、その形成時に、ホログラム形成層１３のホログラムレリーフ１４の面の形状や性質に影響を及ぼさないようにするため、その溶剤系や、形成方法を選択する。特に、その形成プロセスにおいて、「着色パターン層Ａ」１５を形成する領域（「パターンｂ」の領域。）以外の領域にあるホログラムレリーフ１４面には、一切、物理的、化学的な接触の無い方法が望ましい。
【０３０３】
また、「着色パターン層Ａ」１５が設けられている領域における、ホログラムレリーフ１４界面（ホログラム形成層１３と「着色パターン層Ａ」１５との界面。）において、その界面での反射率をほぼ「０％」とするために、ホログラム形成層１３に使用する着色透明樹脂層の屈折率と、「着色パターン層Ａ」１５に使用する樹脂の屈折率を同一とするか、その屈折率差を０．１以下とするように、「着色パターン層Ａ」１５に使用する樹脂を選定することができる。
【０３０４】
例えば、各種の熱可塑性樹脂、熱硬化性樹脂、もしくは電離放射線硬化性樹脂を用いることができ、熱可塑性樹脂としては、アクリル酸エステル樹脂（屈折率ｎ＝１．４７）、アクリルアミド樹脂（ｎ＝１．５０）、ニトロセルロース樹脂（ｎ＝１．５４）、酢酸ビニル樹脂（ｎ＝１．４７）、もしくは、ポリスチレン樹脂（ｎ＝１．６０）等が、また、熱硬化性樹脂としては、不飽和ポリエステル樹脂（ｎ＝１．６４）、ウレタン樹脂（ｎ＝１．６０）、エポキシ変性アクリル樹脂（ｎ＝１．５５）、エポキシ変性不飽和ポリエステル樹脂（ｎ＝１．６４）、アルキッド樹脂（ｎ＝１．５４）、もしくはフェノール樹脂（ｎ＝１．６０）等が挙げられる。
【０３０５】
これらの熱可塑性樹脂および熱硬化性樹脂は、１種もしくは２種以上を使用することができ、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【０３０６】
また、電離放射線硬化性樹脂としては、エポキシアクリレート（ｎ＝１．５５）、ウレタンアクリレート（ｎ＝１．５４）、アクリル変性ポリエステル（ｎ＝１．６４）等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
【０３０７】
また、「着色パターン層Ａ」１５の屈折率を大きくするために、上記した「透明な樹脂」に用いることができる屈折率の高い材料を使用することができる。その場合の「着色パターン層Ａ」１５の屈折率は、１．７〜１．９とすることができる。
【０３０８】
さらに、環境に配慮して、生分解プラスチックを用いることもできる。
【０３０９】
もちろん、これらの樹脂を、「透明着色パターン層Ｂ」１６にも使用し、その耐久性や、物理特性の高いものとすることも好適である。
【０３１０】
また、着色透明レリーフホログラムシートＨ、または、Ｈ´の「着色パターン層Ａ」１５と、ホログラムレリーフ１４を覆うように「反射性を兼ね備えた薄膜」（図示せず。）を形成することができ、これにより、ホログラム再生像の視認性、特に、「着色パターン層Ａ」１５の形成してある側からホログラムレリーフ１４を観察する際のホログラム再生像の視認性を向上させることができる。
【０３１１】
この「反射性を兼ね備えた薄膜」は、入射した光を反射する必要があるため、ホログラム形成層１３よりも高い屈折率を有する透明性薄膜であれば、特に限定されない。
【０３１２】
例えば、ホログラム形成層１３よりも光屈折率の高い透明性薄膜、具体的には、ＺｎＳ、ＴｉＯ2、Ａｌ2Ｏ3、Ｓｂ2Ｓ3、ＳｉＯ、ＳｎＯ2、ＩＴＯなどがある。好ましくは、金属酸化物又は窒化物であり、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物又は窒化物他はそれらを２種以上を混合したものなどが例示できる。またアルミニウムなどの一般的な光反射性の金属薄膜も、厚みが２０ｎｍ以下になると、透明性が出て使用できる。
【０３１３】
「反射性を兼ね備えた薄膜」は、１０〜２０００ｎｍ程度、好ましくは２０〜１０００ｎｍの厚さになるよう、蒸着、スパッタリング、イオンプレーティング、ＣＶＤ（化合気相成長）法などの真空薄膜法などにより設ければよい。特にＣＶＤ法はホログラム形成層１３への熱的ダメージが少ない。また、他の薄膜形成法を用いても、形成する薄膜層を薄くしておくと、その熱的ダメージを少なくすることができる。例えば、アルミニウム蒸着層であれば、形成条件によるが、ほぼ２０ｎｍが透明性が無くなり全反射性を出現する臨界点である。この厚さは薄膜材料、形成方法、加熱温度・真空度等の形成条件により異なる。
【０３１４】
さらに、着色透明レリーフホログラムシートＨ´のホログラムレリーフ１４を覆うように、パターン状の反射性薄膜層１７を部分形成する。
【０３１５】
このパターン状の反射性薄膜層１７を部分形成する位置は、原則として、「着色パターン層Ａ」１５や、「透明着色パターン層Ｂ」１６の位置と重ならないように設ける。
【０３１６】
このパターン状の反射性薄膜層１７を設けるには、着色透明レリーフホログラムシートＨ´の「着色パターン層Ａ」１５、及び、ホログラムレリーフ１４を覆うように、上記した、「反射性を兼ね備えた薄膜」に用いる材料より選定した材料を、真空蒸着法や、電子線加熱蒸着法、スパッタリング法等の物理的薄膜形成方法や、メッキ等の湿式薄膜形成方法、さらには、ＣＶＤ法等のみならず、鱗片状の金属薄膜等を含有した光輝性インキを用いたスクリーン印刷方式等によっても、形成することができる。（図５参照。）
このパターン状の反射性薄膜層１７の「パターン」としては、任意の文字、図形、記号、及びそれらの組み合わせを用いることができるが、もちろん、「パターンａ」、「パターンｂ」、さらには、「パターンＣ」と関連するものであってもよい。
【０３１７】
これにより、パターンＣとは別の位置に、ホログラム再生像を含んだ新たな「パターン」を視認することができ、着色透明レリーフホログラムシートＨ´の意匠性を著しく高めることとなる。
【０３１８】
また、上記した「反射性を兼ね備えた薄膜」（図示せず。）は、この反射性薄膜層１７と、ホログラム形成層１３との間に形成してもよいし、この反射性薄膜層１７を覆うように形成してもよい。
【実施例】
【０３１９】
以下、実施例及び比較例により、本発明を更に詳細に説明するが、これに限定されるものではない。なお、溶媒を除き、各層の各組成物は固形分換算の質量部である。
【０３２０】
（実施例１）
図１のごとく、封筒上紙５と、封筒下紙６に、連量が７０ｋｇ／四六のロール状の上質紙を用い、フォーム輪転印刷機を用いて、マージナル部７の加工や、ミシン加工その他の加工、及び、窓部３（宛名部８用開口部、５５ｍｍ×９０ｍｍ）の開口処理をしながら、通常の印刷用インキ、及び通常用いる接着剤１１（封筒製袋用糊）等にて、マーク１０を含む所定の固定情報の印刷加工や糊加工を行った。
【０３２１】
その後、インクジェットプリンターにて、宛名部８や、情報記録部９に個別情報や、追加の固定情報を印字した後、製袋ユニット及び窓加工部を有する連続製袋機にて、長形３号（２３５ｍｍ×１２０ｍｍ）の封筒本体２を作製し、別途作製した書面等１２の所望の封入物を封入して、実施例１の窓付き封筒１とした。
【０３２２】
この時、窓用フィルムとして、着色透明レリーフホログラムシート４（Ｈ）をタテ６５ｍｍ×ヨコ１００ｍｍにカットしたものを準備した。（図１〜３においては、「着色透明レリーフホログラムシート４」であり、図４においては、「着色透明レリーフホログラムシートＨ」である。）（図１〜図４参照。）
これに用いたホログラムは、レーザー光学系を用いて、３０ｍｍ×７０ｍｍサイズの「絵画モチーフ」をレインボーホログラムとして、その結像位置を、記録面から５ｍｍの位置として撮影し、現像処理してレリーフホログラムとし、そのホログラムレリーフ面を型取りしたＮｉ原盤によって、回転方式にて、線圧１トン／ｍ、１５０℃にて、「着色透明樹脂層」（ホログラム形成層１３となる。）である３０μｍのフタロシアニン系青色顔料を２％添加して青色に着色した透明な無延伸ポリエチレンフィルムの第一面にエンボス加工して、ホログラムレリーフ１４を設けたものを使用した。
【０３２３】
そして、この「着色透明樹脂層」（ホログラム形成層１３）の第二面に、下記組成の「透明着色パターン層Ｂ」１６を、ステンレススクリーン方式を使用して、厚さ５μｍの赤色の文字（ロゴ）「ＢＲ  ＮＤ」として形成した。
【０３２４】
この文字サイズは、５ｍｍ×５ｍｍの文字とし、一つのブランクを含む５文字を繰り返えして左右に配置したデザイン（左右方向に、３ｍｍの隙間を設けた。）とし、タテ６５ｍｍ×ヨコ１００ｍｍサイズの着色透明レリーフホログラムシート４（Ｈ）の、下辺から５ｍｍ〜１０ｍｍの位置に横一列となるように設けた。（従って、窓付き封筒１を外側から観察すると、窓部３の下辺にほぼ接して、横横一列に文字が並んでいるように観察される。）
「ＢＲ  ＮＤ」の文字の画線幅は、ほぼ３００μｍであった。（このデザインが、「パターンｂ」に相当する。）
その乾燥条件は、緩やかなものとし、文字表面の平滑性を高めた。
・＜透明着色パターン層Ｂ用組成物＞
メラミン樹脂                                                      ３０質量部
フタロシアニン系染料                                              １０質量部
トルエン                                                          ３０質量部
イソプロピルアルコール                                            ２  ５質量部
ブチルセルソルブ                                                      ５質量部
さらに、このホログラム形成層１３のホログラムレリーフ１４面上に、そのホログラムレリーフ１４を埋めるように、「透明着色パターン層Ｂ」１６と同一組成の「着色パターン層Ａ」１５を、ステンレススクリーン方式を使用して、厚さ８μｍの赤色の文字（ロゴ）「    Ａ    」として形成し、着色透明レリーフホログラムシート４（Ｈ）（図４参照。）として、実施例１の窓付き封筒１に用いられる窓用フィルムとした。
【０３２５】
このとき、このロゴ「    Ａ    」は、４つのブランクと一つの文字からなり、その「Ａ」の位置が、ちょうど、「透明着色パターン層Ｂ」１６の（ロゴ）「ＢＲ  ＮＤ」の中央に位置するように配置した。「    Ａ    」の文字の画線幅も、ほぼ３００μｍであった。（このデザインが、「パターンａ」に相当する。「パターンａ」、「パターンｂ」そして、「パターンＣ」は図示せず。）
そのホログラムレリーフ１４の回折効率（入射光に対する反射回折光の強度。）は５％とし、ホログラムレリーフ１４を窓付き封筒１の内側に向くようにした。
【０３２６】
着色透明レリーフホログラムシート４（Ｈ）用の粘着剤（図示せず。）は、微粒子マイクロシリカを混入させたゴム系（再剥離性を有する。）とし、２ｍｍ幅で厚さ５μｍの開口部より一回り大きい長方形のパターンとした。
【０３２７】
封入物は別途印刷加工し、所望の印刷及び宛名等、個別情報印字をして、Ａ４サイズの３つ折とし、書面等１２としたものを、その宛名等が、窓付き封筒１の窓部３の位置に合うよう調整して、封入し、実施例１の窓付き封筒１を作製し、その後、封緘した。
【０３２８】
この実施例１の窓付き封筒１を封緘した郵便物は、通常郵便物第一種郵便物（封書）に準拠しており、郵送時、郵便区分け機による光学的宛名読み取りに支障のないものであった。
【０３２９】
この郵便物の窓部を視認すると、「絵画モチーフ」を鑑賞することができ、「透明着色パターン層Ｂ」１６と「透明着色パターン層Ａ」１５とからなる「・・・ＢＲＡＮＤＢＲＡＮＤ・・・」の文字を同一の「色」からなる一つの「パターンＣ」として、認識できた。
【０３３０】
そして、この郵便物を傾けると、「パターンｂ（「ＢＲ  ＮＤ」）」の「色」のみが変化し、「一つのパターンＣ」と認識していた文字列が、実際には、「パターンａ（「    Ａ    」）」と、「パターンｂ（「ＢＲ  ＮＤ」）」の２つのパターンから構成されていることに気づき、高い意匠性と意外性を有することを認識できた。（図示せず。）
また、この郵便物を開封し、その窓部３から、着色透明レリーフホログラムシート４（Ｈ）を剥したところ、粘着残渣は全く無く、観賞用として適し、且つ、より鮮明な「絵画モチーフ」の着色ホログラムを鑑賞することができた。（図示せず。）
（実施例２）
実施例１の窓付き封筒１の窓部３以外の部分（封筒上紙５の裏面にあたる部分）に、一つの「パターンＣ」として認識される「色」と同一の「色」を呈する、「印刷層」（図示せず。）を形成したこと以外は、実施例１と同様にして、実施例２の窓付き封筒１を得た。（図１〜４参照。但し、「印刷層」は、図示せず。）
このとき、「印刷層」は、「印刷層」用インキ組成物として、下記組成のインキ組成物を用い、シルクスクリーン方式を用いて、厚さ４μｍの赤色の文字（ロゴ）とし、窓部３の下の辺から下方に１０ｍｍ離れた位置に、「パターンＣ」と同一大きさ、且つ、同一配列で、平行に並ぶように設けた。（図示せず。）
・＜「印刷層」用インキ組成物＞
メラミン樹脂                                                      ３０質量部
フタロシアニン系赤色染料                                          １０質量部
フタロシアニン系青色顔料                                        ０．５質量部
酢酸エチル                                                        ２０質量部
イソプロピルアルコール                                            ２  ５質量部
ブチルセルソルブ                                                  １  ５質量部
この実施例２の窓付き封筒１を実施例１と同様にして封入封緘した郵便物を、観察したところ、「対比の基準となる色」の認識性が高まり、その「対比」がし易くなり、その結果「対比」による意外性がさらに高まったこと以外は、実施例１と同様の好適な結果を得た。
【０３３１】
（実施例３）
５０μｍ厚さの透明なポリエチレンテレフタレートフィルムの上に、メラミン樹脂からなる５μｍ厚さのホログラム層（２０ｍｍ×２０ｍｍサイズの「絵画モチーフ２」をレインボーホログラムとして記録したもの。）を設け、その上に、「着色パターン層Ｄ」を設けた後、そのホログラム層と「着色パターン層Ｄ」を覆うように、２００ｎｍ厚さのアルミニウム蒸着層を形成した後、適宜な粘着剤を２０μｍ厚さで設け、直径３０ｍｍで打ち抜いて、「着色パターン層Ｄ」入りホログラムラベルを作製し（図示せず。）、このホログラムラベルを、実施例１の窓付き封筒１の窓部３以外の部分（封筒上紙５の裏面にあたる部分）に貼着したこと（これが、ホログラム形成部となる。図示せず。）、及び、「着色パターン層Ｄ」を視認したときの「色」を、実施例１の「透明着色パターン層Ｂ」１６に用いたものと同様の組成物を用いて、一つの「パターンＣ」として認識される「色」と同一の「色」を呈するように調整しつつ形成したこと以外は、実施例１と同様にして、実施例３の窓付き封筒１を得た。
【０３３２】
このとき、「着色パターン層Ｄ」は、「印刷層」用インキ組成物として、下記組成のインキ組成物を用い、シルクスクリーン方式を用いて、厚さ４μｍのわずかに青味がかった赤色の文字（ロゴ）とし、その文字サイズ及び配列を「パターンＣ」と同様とした。（図示せず。）
この実施例３の窓付き封筒１を実施例１と同様にして封入封緘した郵便物（図１〜図４参照。）を、観察したところ、まず、「絵画モチーフ２」の鮮明なレインボーホログラムを視認し、且つ、その中にある、「着色パターン層Ｄ」である「ＢＲＡＮＤ・・・」のわずかに青味がかった赤い文字列を認識し、次いで、その「絵画モチーフ」と、その「着色パターン層Ｄ」と同一の「色」からなる一つの「パターンＣ」を認識した。
【０３３３】
その結果、実施例３の窓付き封筒１に対する注意喚起が十分となる上、「対比の基準となる色」の認識性が高まり、その「対比」がし易くなり、その結果「対比」による意外性がさらに高まると思われた。
【０３３４】
（実施例４）
実施例１の「パターンＣ」の文字列の左右３文字ずつを形成せず（着色パターン層Ａ、または、着色パターン層Ｂの該当する文字を予め抜いておくという意味。）、この６文字に対応する位置に合わせて、ホログラムレリーフ１３面上に、１００ｎｍの厚さで蒸着したアルミニウム薄膜を、湿式エッチング処理により、パターニング処理して、その６文字のパターンからなる「パターン状に設けられた反射性薄膜層」１７とし、着色透明レリーフホログラムシート４（Ｈ´）（図５参照。）を得たこと以外は、実施例１と同様として、実施例４の窓付き封筒１及び郵便物を得た。（図１〜図３、及び図５参照。）
この郵便物を、実施例１と同様に評価したところ、「パターン状に設けられた反射性薄膜層」１７からなる６文字が鮮明な青色に着色され、高い視認性を示して、意匠性をさらに高めたと以外は、実施例１と同様の良好な評価結果を得た。
【０３３５】
（実施例５）
ホログラム形成層１３を構成する「着色透明樹脂層」として、フタロシアニン系青色顔料を２％添加して青色に着色したアクリル樹脂（ヘーズ２％）を用い、「透明着色パターン層Ｂ」１６に、下記組成のインキを用いたこと以外（従って、「着色パターン層Ａ」１５も下記組成のインキを用いることとなる。）は、実施例１と同様にして、実施例５の窓付き封筒１及び郵便物を得た。（図１〜図４参照。）
・＜透明着色パターン層Ｂ用組成物＞
アクリル樹脂アクリル樹脂（ヘーズ２％）                            ３０質量部
フタロシアニン系赤色染料                                            ８質量部
トルエン                                                          ２７質量部
イソプロピルアルコール                                            ３  ０質量部
ブチルセルソルブ                                                      ５質量部
この郵便物を、実施例１と同様に評価したところ、「透明着色パターン層Ｂ」１６の「色」（赤色）の変化が、より明確に視認されたこと以外は、実施例１と同様の良好な評価結果を得た。
【０３３６】
（実施例６）
ホログラム形成層１３を構成する「着色透明樹脂層」として、フタロシアニン系青色顔料を２％添加して青色に着色したアクリル酸エステル樹脂（屈折率ｎ＝１．４７）を用い、「着色パターン層Ａ」１５と「透明着色パターン層Ｂ」１６に、下記組成のインキを用いたこと以外は、実施例１と同様にして、実施例６の窓付き封筒１及び郵便物を得た。（図１〜図４参照。）
・＜着色パターン層Ａ及び透明着色パターン層Ｂ用組成物＞
アクリル酸エステル樹脂（屈折率ｎ＝１．４７）                      ３０質量部
フタロシアニン系赤色染料                                          １０質量部
トルエン                                                          ３０質量部
イソプロピルアルコール                                            ２  ５質量部
ブチルセルソルブ                                                      ５質量部
この郵便物を、実施例１と同様に評価したところ、「着色パターン層Ａ」１５の領域におけるホログラムレリーフ１４の消失効果がより強く感じられたこと（観察角度を変えても、その「色」が変化しないことを意味する。）以外は、実施例１と同様の良好な評価結果を得た。
【０３３７】
（実施例７）
実施例６の「着色パターン層Ａ及び透明着色パターン層Ｂ用組成物」として、下記組成物を用いたこと以外は、実施例６と同様にして、実施例７の窓付き封筒１及び郵便物を得た。（図１〜図４参照。）
・＜着色パターン層Ａ及び透明着色パターン層Ｂ用組成物＞
エポキシ変性アクリル樹脂（ｎ＝１．５５）                          ３０質量部
フタロシアニン系赤色染料                                          １０質量部
トルエン                                                          ３０質量部
イソプロピルアルコール                                            ２  ５質量部
ブチルセルソルブ                                                      ５質量部
この郵便物を、実施例１と同様に評価したところ、「着色パターン層Ａ」１５の領域におけるホログラムレリーフ１４の消失効果が、強く感じられたこと（観察角度を変えても、その「色」が変化しないことを意味する。）以外は、実施例１と同様の良好な評価結果を得た。
【０３３８】
（実施例８）
ホログラムを電子線描画方式で同様の「絵画モチーフ」のホログラムレリーフを電子線レジストに露光し、その現像処理において、凹凸形状の深さを、「空気」とホログラム形成層１３との界面において、空気側から観察した時が、最大回折効率となるようその現像時間を調整したこと以外は、実施例１と同様として、実施例８の窓付き封筒１、そして、そのメール便配送物を得た。（図１〜図４参照。）
着色透明レリーフホログラムシート４（Ｈ）をその封筒への加工前に観察したところ、ホログラム形成面から観察した際には、光学式撮影方式で撮影したものより鮮明なホログラムが観察できたが、その反対面である着色された透明基材１４側から観察した際には、ホログラム再生像があることは判別できたが、明るさ及び鮮明度に劣るホログラムしか再生しなかった。
【０３３９】
このことをもとに、窓付き封筒１の表面に、「ホログラムは、裏面より観察願います。」との文言を加えることで、この窓付き封筒１を受け取った人が、この窓付き封筒１を開封する率が大幅に向上し、且つ、その鮮明さの差を実感するものと思われた。
【０３４０】
（実施例９）
フタロシアニン系青色顔料を２％添加して青色に着色した三菱樹脂製エコロージュ（ポリ乳酸フィルム）２５μｍにエンボス加工して、着色透明レリーフホログラムシート４（Ｈ）とした以外は、実施例１と同様にして、実施例９の窓付き封筒１、そして、そのメール便配送物を得た。（図１〜図４参照。）
実施例１と同様に観察したところ実施例１と同様の良好な結果を得た。
【０３４１】
また、窓付き封筒１の表面に、「ホログラムは、環境にやさしい材料により作製されています。」との文言を加えることで、この窓付き封筒１を受け取った人の注意を惹くとともに、このことにより、この窓付き封筒１を開封する率が大幅に向上し、且つ、このホログラムを剥して手元に保管し易くなるものと思われた。
【０３４２】
(比較例)
（比較例１）３０μｍの透明な無延伸ポリエチレンフィルムにホログラムレリーフをエンボス加工しないこと以外は、実施例１と同様にし、比較例１の窓付き封筒を得た。
【０３４３】
この窓付き封筒を実施例１と同様に評価したところ、なんら特徴がなく、受け取り人の注意も惹かず、開封率の向上は見込めないものと思われた。
【０３４４】
[回折効率測定方法]
：光源：半導体レーザー：キコー技研 ＭＬＸ標準コリメートレーザー
：電圧ＤＣ４．８〜６．５Ｖ・平行光時ビーム径拡大６ｍｍ
：効率：反射光強度／入射光強度＊１００（％）
【符号の説明】
【０３４５】
Ｈ、Ｈ´  着色透明レリーフホログラムシート（断面図）
１        窓付き封筒
２        封筒本体
３        窓部
４        着色透明レリーフホログラムシート
５        封筒上紙
６        封筒下紙
７        マージナル部
８        宛名部
９        情報記録部
１０      マーク
１１      接着剤（封筒製袋用糊）
１２      書面等
１３      着色透明レリーフホログラムシートを構成するホログラム形成層
１４      着色透明レリーフホログラムシートのホログラムレリーフ
１５      着色パターン層Ａ
１６      透明着色パターン層Ｂ
１７      パターン状に設けられた反射性薄膜層
【図１】
2014162507.tif 000003
【図２】
2014162507.tif 000004
【図３】
2014162507.tif 000005
【図４】
2014162507.tif 000006
【図５】
2014162507.tif 000007